(57)【要約】【課題】ネットワークを介して医療に関連する処理が実行される状況下においても、当該処理を実行するための権限をより好適な態様で管理する。【解決手段】ネットワークを介して直接的または間接的に接続された装置から、医療に関連する処理の実行に係るリクエストを受け付ける受付部と、前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御する制御部と、を備える、情報処理装置。【選択図】図１
2018067197.tif 000002
【特許請求の範囲】
【請求項１】
ネットワークを介して直接的または間接的に接続された装置から、医療に関連する処理の実行に係るリクエストを受け付ける受付部と、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御する制御部と、
を備える、情報処理装置。
【請求項２】
前記制御部は、前記リクエストを受け付けた第１の装置とは異なる第２の装置、または当該第２の装置に関連付けられたユーザに対する前記権限の設定を、当該第２の装置に対して直接的または間接的に関連付けられた前記属性情報に応じて制御する、請求項１に記載の情報処理装置。
【請求項３】
前記制御部は、前記リクエストに関連付けられた情報と、１以上の前記第２の装置それぞれに対して直接的または間接的に関連付けられた前記属性情報と、に基づき、当該リクエストに対応する前記処理を実行させる前記第２の装置を特定し、特定した当該第２の装置、または当該第２の装置に関連付けられたユーザに対する前記権限の設定を制御する、請求項２に記載の情報処理装置。
【請求項４】
前記属性情報は、前記第２の装置、または当該第２の装置に関連付けられたユーザの位置情報を含み、
前記制御部は、１以上の前記第２の装置それぞれに対応する前記位置情報に基づき、前記リクエストに対応する前記処理を実行させる前記第２の装置を特定する、
請求項３に記載の情報処理装置。
【請求項５】
前記属性情報は、前記第２の装置に関連付けられたユーザの情報として、医療行為に関連する情報を含み、
前記制御部は、１以上の前記第２の装置それぞれに関連付けられた前記ユーザに対応する前記医療行為に関連する情報に基づき、前記リクエストに対応する前記処理を実行させる前記第２の装置を特定する、
請求項３に記載の情報処理装置。
【請求項６】
前記制御部は、前記リクエストを受け付けた第１の装置、または当該第１の装置に関連付けられたユーザに対する前記権限の設定を、当該第１の装置に対して直接的または間接的に関連付けられた前記属性情報に応じて制御する、請求項１に記載の情報処理装置。
【請求項７】
前記リクエストに対応する前記処理を実行させる前記装置に対して、前記権限の設定の制御結果に関する情報を通知する通知部を備える、請求項１に記載の情報処理装置。
【請求項８】
前記通知部は、前記リクエストの送信元である前記装置に対して、前記権限の設定の制御結果に関する情報を通知する、請求項７に記載の情報処理装置。
【請求項９】
ネットワークを介して直接的または間接的に接続された装置に対して、医療に関連する処理の実行に係るリクエストを送信する送信部と、
前記リクエストの送信後に、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得する取得部と、
を備える、情報処理装置。
【請求項１０】
ネットワークを介して直接的または間接的に接続された装置から、医療に関連する処理の認証に関するリクエストを受け付ける受付部と、
前記リクエストに対応する認証対象に対して直接的または間接的に関連付けられた属性情報に応じて、当該認証対象に対する前記認証を実行する認証処理部と、
を備える、情報処理装置。
【請求項１１】
前記リクエストの送信元である前記装置に対して、前記認証の結果に関する情報を通知する通知部を備える、請求項１０に記載の情報処理装置。
【請求項１２】
ネットワークを介して直接的または間接的に接続された装置に対して、医療に関連する処理の認証に関するリクエストを送信する送信部と、
前記リクエストの送信後に、前記リクエストに対応する認証対象に対して直接的または間接的に関連付けられた属性情報に応じた、当該認証対象に対する前記認証の結果を前記装置から取得する取得部と、
を備える、情報処理装置。
【請求項１３】
コンピュータが、
ネットワークを介して直接的または間接的に接続された装置から、医療に関連する処理の実行に係るリクエストを受け付けることと、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、
を含む、情報処理方法。
【請求項１４】
コンピュータが、
ネットワークを介して直接的または間接的に接続された装置に対して、医療に関連する処理の実行に係るリクエストを送信することと、
前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、
を含む、情報処理方法。
【請求項１５】
コンピュータが、
ネットワークを介して直接的または間接的に接続された装置から、医療に関連する処理の認証に関するリクエストを受け付けることと、
前記リクエストに対応する認証対象に対して直接的または間接的に関連付けられた属性情報に応じて、当該認証対象に対する前記認証を実行することと、
を含む、情報処理方法。
【請求項１６】
コンピュータが、
ネットワークを介して直接的または間接的に接続された装置に対して、医療に関連する処理の認証に関するリクエストを送信することと、
前記リクエストの送信後に、前記リクエストに対応する認証対象に対して直接的または間接的に関連付けられた属性情報に応じた、当該認証対象に対する前記認証の結果を前記装置から取得することと、
を含む、情報処理方法。
【請求項１７】
コンピュータに、
ネットワークを介して直接的または間接的に接続された装置から、医療に関連する処理の実行に係るリクエストを受け付けることと、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、
を実行させる、プログラム。
【請求項１８】
コンピュータに、
ネットワークを介して直接的または間接的に接続された装置に対して、医療に関連する処理の実行に係るリクエストを送信することと、
前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、
を実行させる、プログラム。
【請求項１９】
コンピュータに、
ネットワークを介して直接的または間接的に接続された装置から、医療に関連する処理の認証に関するリクエストを受け付けることと、
前記リクエストに対応する認証対象に対して直接的または間接的に関連付けられた属性情報に応じて、当該認証対象に対する前記認証を実行することと、
を実行させる、プログラム。
【請求項２０】
コンピュータに、
ネットワークを介して直接的または間接的に接続された装置に対して、医療に関連する処理の認証に関するリクエストを送信することと、
前記リクエストの送信後に、前記リクエストに対応する認証対象に対して直接的または間接的に関連付けられた属性情報に応じた、当該認証対象に対する前記認証の結果を前記装置から取得することと、
を実行させる、プログラム。
【発明の詳細な説明】
【技術分野】
【０００１】
本開示は、情報処理装置、情報処理方法、及びプログラムに関する。
【背景技術】
【０００２】
近年、通信技術の発展に伴い、医療の分野においても、例えば、遠隔医療のような遠隔地への医療サービスの提供や複数の医療機関の連携等を実現するために、インターネット等のネットワークの利用が各種検討されている。例えば、特許文献１には、異なる医療情報システム間を、ネットワークを介して連携させるための技術の一例が開示されている。
【先行技術文献】
【特許文献】
【０００３】
【特許文献１】特開２０１５−２８７７３号公報
【発明の概要】
【発明が解決しようとする課題】
【０００４】
一方で、診療や診断等の行為の実施には医師の免許が必要となり、診療の補助等の行為の実施には看護師の免許が必要となる等のように、医療に関連する行為（以降では、これらを総じて「医療行為」とも称する）には適切な免許や資格が必要となる。また、医療の分野においては、患者情報のような秘匿性の高い情報が扱われることが多く、各種情報の秘匿性の確保が重要となる。これらについては、例えば、ネットワークを介して医療サービスが提供される場合や、複数の医療機関の間で情報が伝達される場合においても同様である。このような状況から、医療の分野に通信技術を応用する場合においては、医療行為の実施や各種情報の管理（例えば、情報の閲覧）等のような医療に関連する処理を実行するための権限の管理がより重要となってくる。
【０００５】
そこで、本開示では、ネットワークを介して医療に関連する処理が実行される状況下においても、当該処理を実行するための権限をより好適な態様で管理することが可能な、情報処理装置、情報処理方法、及びプログラムを提案する。
【課題を解決するための手段】
【０００６】
本開示によれば、ネットワークを介して直接的または間接的に接続された装置から、医療に関連する処理の実行に係るリクエストを受け付ける受付部と、前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御する制御部と、を備える、情報処理装置が提供される。
【０００７】
また、本開示によれば、ネットワークを介して直接的または間接的に接続された装置に対して、医療に関連する処理の実行に係るリクエストを送信する送信部と、前記リクエストの送信後に、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得する取得部と、を備える、情報処理装置が提供される。
【０００８】
また、本開示によれば、ネットワークを介して直接的または間接的に接続された装置から、医療に関連する処理の認証に関するリクエストを受け付ける受付部と、前記リクエストに対応する認証対象に対して直接的または間接的に関連付けられた属性情報に応じて、当該認証対象に対する前記認証を実行する認証処理部と、を備える、情報処理装置が提供される。
【０００９】
また、本開示によれば、ネットワークを介して直接的または間接的に接続された装置に対して、医療に関連する処理の認証に関するリクエストを送信する送信部と、前記リクエストの送信後に、前記リクエストに対応する認証対象に対して直接的または間接的に関連付けられた属性情報に応じた、当該認証対象に対する前記認証の結果を前記装置から取得する取得部と、を備える、情報処理装置が提供される。
【００１０】
また、本開示によれば、コンピュータが、ネットワークを介して直接的または間接的に接続された装置から、医療に関連する処理の実行に係るリクエストを受け付けることと、前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、を含む、情報処理方法が提供される。
【００１１】
また、本開示によれば、コンピュータが、ネットワークを介して直接的または間接的に接続された装置に対して、医療に関連する処理の実行に係るリクエストを送信することと、前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、を含む、情報処理方法が提供される。
【００１２】
また、本開示によれば、コンピュータが、ネットワークを介して直接的または間接的に接続された装置から、医療に関連する処理の認証に関するリクエストを受け付けることと、前記リクエストに対応する認証対象に対して直接的または間接的に関連付けられた属性情報に応じて、当該認証対象に対する前記認証を実行することと、を含む、情報処理方法が提供される。
【００１３】
また、本開示によれば、コンピュータが、ネットワークを介して直接的または間接的に接続された装置に対して、医療に関連する処理の認証に関するリクエストを送信することと、前記リクエストの送信後に、前記リクエストに対応する認証対象に対して直接的または間接的に関連付けられた属性情報に応じた、当該認証対象に対する前記認証の結果を前記装置から取得することと、を含む、情報処理方法が提供される。
【００１４】
また、本開示によれば、コンピュータに、ネットワークを介して直接的または間接的に接続された装置から、医療に関連する処理の実行に係るリクエストを受け付けることと、前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、を実行させる、プログラムが提供される。
【００１５】
また、本開示によれば、コンピュータに、ネットワークを介して直接的または間接的に接続された装置に対して、医療に関連する処理の実行に係るリクエストを送信することと、前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、を実行させる、プログラムが提供される。
【００１６】
また、本開示によれば、コンピュータに、ネットワークを介して直接的または間接的に接続された装置から、医療に関連する処理の認証に関するリクエストを受け付けることと、
前記リクエストに対応する認証対象に対して直接的または間接的に関連付けられた属性情報に応じて、当該認証対象に対する前記認証を実行することと、を実行させる、プログラムが提供される。
【００１７】
また、本開示によれば、コンピュータに、ネットワークを介して直接的または間接的に接続された装置に対して、医療に関連する処理の認証に関するリクエストを送信することと、前記リクエストの送信後に、前記リクエストに対応する認証対象に対して直接的または間接的に関連付けられた属性情報に応じた、当該認証対象に対する前記認証の結果を前記装置から取得することと、を実行させる、プログラムが提供される。
【発明の効果】
【００１８】
以上説明したように本開示によれば、ネットワークを介して医療に関連する処理が実行される状況下においても、当該処理を実行するための権限をより好適な態様で管理することが可能な、情報処理装置、情報処理方法、及びプログラムが提供される。
【００１９】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２０】
【図１】本開示の一実施形態に係る情報処理システムのアーキテクチャの一例について説明するための説明図である。
【図２】同実施形態に係る医療ネットワークマネージャの機能構成の一例を示したブロック図である。
【図３】同実施形態に係る医療ネットワークエンドポイントの機能構成の一例を示したブロック図である。
【図４】同実施形態に係る情報処理システムにおける情報の登録に係る手続きについて、一連の処理の流れの一例を示したシーケンス図である。
【図５】同実施形態に係る情報処理システムにおける情報の登録に係る手続きについて、一連の処理の流れの一例を示したシーケンス図である。
【図６】同実施形態に係る情報処理システムにおける情報の登録に係る手続きについて、一連の処理の流れの一例を示したシーケンス図である。
【図７】同実施形態に係る情報処理システムにおける権限の設定の制御に係る手続きの一例について、一連の処理の流れを示したシーケンス図である。
【図８】同実施形態に係る情報処理システムにおける権限の設定の制御に係る手続きの他の一例について、一連の処理の流れを示したシーケンス図である。
【図９】同実施形態に係る情報処理システムにおける権限の設定の制御に係る手続きの他の一例について、一連の処理の流れを示したシーケンス図である。
【図１０】実施例１に係る情報処理システムの概要について説明するための説明図である。
【図１１】実施例１に係る情報処理システムの一連の処理の流れの一例を示したシーケンス図である。
【図１２】実施例２に係る情報処理システムの一連の処理の流れの一例を示したシーケンス図である。
【図１３】実施例３に係る情報処理システムの一連の処理の流れの一例を示したシーケンス図である。
【図１４】実施例４に係る情報処理システムの概略的な構成の一例について説明するための説明図である。
【図１５】実施例４に係る情報処理システムの一連の処理の流れの一例を示したシーケンス図である。
【図１６】実施例５に係る情報処理システムの概略的な構成の一例について説明するための説明図である。
【図１７】実施例５に係る情報処理システムの一連の処理の流れの一例を示したシーケンス図である。
【図１８】実施例６に係る情報処理システムの概略的な構成の一例について説明するための説明図である。
【図１９】実施例６に係る情報処理システムの一連の処理の流れの一例を示したシーケンス図である。
【図２０】実施例６に係る情報処理システムの一連の処理の流れの一例を示したシーケンス図である。
【図２１】同実施形態に係る情報処理システムを構成する情報処理装置のハードウェア構成の一例を示す機能ブロック図である。
【発明を実施するための形態】
【００２１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．はじめに
２．アーキテクチャ
３．構成例
３．１．医療ネットワークマネージャの構成例
３．２．医療ネットワークエンドポイントの構成例
４．技術的特徴
４．１．情報の登録に係る手続き
４．２．権限の設定の制御に係る手続き
５．実施例
５．１．実施例１：遠隔診療における医師及び患者のマッチングサービス
５．２．実施例２：医療機器の遠隔操作
５．３．実施例３：劇薬の取扱い権限認証
５．４．実施例４：看護師による患者の見守りと申し送り
５．５．実施例５：入院患者の転院
５．６．実施例６：監理機関による医療機関の監理や業務認可
６．ハードウェア構成
７．むすび
【００２３】
＜＜１．はじめに＞＞
まず、本開示の一実施形態に係る情報処理システムの概要について説明する。本実施形態に係る医療システムは、遠隔医療のようなネットワークを介した医療サービスの提供や、互いに離隔した複数の医療機関間におけるネットワークを介した連携等を実現するための仕組みを提供する。
【００２４】
なお、本開示において、医療サービスを提供するためのワットワークとしては、例えば、以下に示すものが含まれ得る。
・医療機関イントラネットワーク
・医療機関間ネットワーク
・医療機関−医師間ネットワーク
・医師−医師間ネットワーク
・医療機関−看護師間ネットワーク
・看護師−看護師間ネットワーク
・医療機関−患者間ネットワーク
・医師−患者間ネットワーク
・看護師−患者間ネットワーク
・医療機関−薬剤師（薬局）間ネットワーク
・医師−薬剤師（薬局）間ネットワーク
・薬剤師（薬局）−薬剤師（薬局）間ネットワーク
・薬剤師（薬局）−患者間ネットワーク
【００２５】
また、医療サービスを提供するためのワットワークは、上記に列挙した各種ネットワークのうち複数のネットワークが含まれてもよい。また、医療サービスの提供を実現することが可能であれば、当該医療サービスを提供するためのネットワークの種別は特に限定されない。具体的には、当該ネットワークは、有線のネットワーク、無線のネットワーク、または、これらの組み合わせとして構成されてもよい。
【００２６】
また、医療サービスを提供するためのネットワークの少なくとも一部を無線のネットワークとして構成する場合には、利用される周波数帯や無線技術の種類は問わない。具体的な一例として、免許周波数帯（Licensed  band）や免許不要周波数帯（License-exempt  band）、軽免許周波数帯（Light  licensing band）であってもよい。なお、軽免許周波数帯（Light  licensing  band）とは、ＴＶホワイトスペースや米国のC.F.R.  Part  96で規定されるCitizens  Broadband  Radio  Serviceなどのように、周波数管理データベースによって、利用可能な周波数の同定および利用認可が実施される周波数帯を指す。即ち、他のサービスにより一次利用される周波数帯が、当該医療サービスの提供のために二次利用されてもよい。具体的な一例として、デジタルＴＶ放送の周波数帯に含まれる未使用のチャネルが、医療サービスを提供するためのネットワークとして利用されてもよい。また、無線技術については、移動体通信技術（GSM（登録商標），UMTS，LTE，LTE-Advanced，5Gもしくはそれ以降の技術も含む）や無線ＬＡＮ技術（IEEE 802.11）、ＰＡＮ（Personal  Area  Network、IEEE
802.15等）、ＷＲＡＮ（Wireless  Regional  Area  Network、IEEE
802.22）等が利用されてもよい。
【００２７】
また、医療サービスとは、例えば、前述した遠隔医療や、病院や介護施設等における患者（例えば、入院患者）の見守り等が挙げられる。ここで、遠隔医療とは、患者とは直接対面せずに通信技術を用いて、診断や診療等のような医療に関わる行為や、在宅健康管理等のような保健に係る行為を行うことを示す。遠隔医療としては、例えば、遠隔病理診断（テレパソロジー）、遠隔放射線診断（テレラジオロジー）、遠隔健康管理（テレケア）等が挙げられる。遠隔病理診断とは、遠隔地の医師が、ネットワークを介して病理の診断を行うことを示す。また、遠隔放射線診断とは、遠隔地の医師が、ネットワークを介して別の医療機関から転送された、Ｘ線、ＣＴ（Computed  Tomography）、ＭＲＩ（Magnetic  Resonance  Imaging）等により撮像された画像の診断を行うことを示す。また、遠隔健康管理とは、遠隔地の医師が、ネットワークを介して送信された健康管理端末による患者の健康状態の測定結果（例えば、血圧や心電図等）に基づき、当該患者に対して健康管理に関する指導を行うことを示す。なお、本開示においては、「医療サービス」と記載した場合には、便宜上、上述した遠隔医療や患者の見守り等の所謂医療サービスに限らず、医療行為に関係する各種手続きや処理についても含み得るものとする。
【００２８】
ところで、通信技術等の所謂ＩＴ（Information  Technology）を活用して、医療サービスの提供や医療機関間の連携を実現する場合には、「情報の秘匿性の確保」、「医療や看護等に関する権限の管理」、「迅速な情報の伝達」等が求められる場合がある。
【００２９】
特に、医療の分野に通信技術等のＩＴを応用する場合においては、医療行為の実施や各種情報の管理（閲覧等）等のような医療に関連する処理を実行するための権限の管理がより重要となってくる。例えば、診療や診断等の行為の実施には医師の免許が必要となり、診療の補助等の行為の実施には看護師の免許が必要となる等のように、医療行為には適切な免許や資格が必要となる。また、医療の分野においては、患者情報のような秘匿性の高い情報が扱われることが多く、各種情報の秘匿性の確保が重要となる。これらについては、例えば、ネットワークを介して医療サービスが提供される場合や、複数の医療機関の間で情報が伝達される場合においても同様である。
【００３０】
このような状況を鑑み、本開示では、ネットワークを介して医療に関連する処理が実行される状況下においても、当該処理を実行するための権限の付与や委譲等といった、当該権限の設定の管理をより好適な態様で実現することが可能な技術の一例について提案する。
【００３１】
＜＜２．アーキテクチャ＞＞
まず、図１を参照して、本実施形態に係る情報処理システムのアーキテクチャの一例について説明する。図１は、本実施形態に係る情報処理システムのアーキテクチャの一例について説明するための説明図である。
【００３２】
図１に示すように、本実施形態に係る情報処理システム１は、医療ネットワークマネージャ１００と、医療ネットワークエンドポイント２００と、医療ネットワークイネーブラ３００と、医療ネットワーク情報検索データベース４００とを含む。また、情報処理システム１は、医療ネットワーク監理データベース５００を含んでもよい。
【００３３】
医療ネットワークマネージャ１００は、ネットワークを介した医療サービスの提供に関する各種意思決定（Decision  Making）を担うエンティティである。具体的な一例として、医療ネットワークマネージャ１００は、後述する医療ネットワークエンドポイント２００、または、当該医療ネットワークエンドポイント２００に関連付けられたユーザ（例えば、医師や看護師等）に対する、各種処理（例えば、医療行為（例えば、診療、診断、看護、処方等）、情報閲覧行為等に関する処理）の権限の設定を管理する。より具体的な一例として、医療ネットワークマネージャ１００は、医師や看護師に関連付けられた医療ネットワークエンドポイント２００に対して、医療行為に関連する処理を実行するための権限を付与してもよい。また、医療ネットワークマネージャ１００は、医療ネットワークエンドポイント２００に付与された権限を、他の医療ネットワークエンドポイント２００に委譲してもよい。
【００３４】
また、医療ネットワークマネージャ１００は、各種処理のリクエストを受けて、当該処理を実行するための権限を付与する対象（例えば、医療ネットワークエンドポイント２００に関連付けられた医師や看護師等）の探索やマッチング等を行ってもよい。具体的な一例として、医療ネットワークマネージャ１００は、医療行為に関連する処理の実行に関するリクエストを受けて、当該医療行為の実施に必要となる免許や、当該医療行為の科目等の情報に基づき、当該医療行為に関連する処理を実行するための権限を付与する医療ネットワークエンドポイント２００（もしくは、当該医療ネットワークエンドポイント２００に関連付けられた医師や看護師等）を特定してもよい。なお、医療行為の科目としては、例えば、診療科目や標榜科目等が挙げられる。
【００３５】
また、医療ネットワークマネージャ１００は、他の医療ネットワークマネージャ１００とネットワークを介して互いに連携可能に構成されていてもよい。例えば、図１に示す例では、医療ネットワークマネージャ１００ａは、他の医療ネットワークマネージャ１００ｂ（例えば、他の医療機関の医療ネットワークマネージャ１００）とネットワークを介して連携可能に構成されている。
【００３６】
医療ネットワーク情報検索データベース４００は、医療ネットワークマネージャ１００の意思決定のために必要な情報を探索し、探索結果を当該医療ネットワークマネージャ１００に通知するためのエンティティである。医療ネットワーク情報検索データベース４００は、探索対象となる情報を記憶するための記憶領域（例えば、リポジトリ等）を保持していてもよい。また、医療ネットワーク情報検索データベース４００は、サーバ等のような情報処理装置として構成され、医療ネットワークマネージャ１００とネットワークを介して接続されていてもよい。また、他の一例として、医療ネットワーク情報検索データベース４００は、医療ネットワークマネージャ１００の内部に具備されていてもよい。この場合には、医療ネットワーク情報検索データベース４００に相当する機能が、医療ネットワークマネージャ１００にソフトウェアとしてインストールされていてもよい。
【００３７】
医療ネットワークエンドポイント２００は、ネットワークを介して提供される医療サービス（以降では、「医療ネットワークサービス」とも称する）のエンドポイントを担うエンティティである。具体的な一例として、医療ネットワークエンドポイント２００は、患者が保持する端末装置として構成されていてもよい。この場合には、例えば、患者は、医療ネットワークエンドポイント２００を介して、遠隔診療のサービスを利用することが可能となる。
【００３８】
また、他の一例として、医療ネットワークエンドポイント２００は、医師が操作するハンドセット機器として構成されていてもよい。この場合には、医師は、医療ネットワークエンドポイント２００を介して、遠隔地の患者の診療や診断等を行うことが可能となる。
【００３９】
また、他の一例として、病院等の医療機関内に設置された医療機器が医療ネットワークエンドポイント２００として構成されていてもよい。これにより、例えば、医師は、医療ネットワークエンドポイント２００として構成された医療機器に対して、遠隔地からネットワークを介して他の医療ネットワークエンドポイント２００（例えば、端末装置）からアクセスすることで、当該医療機器を操作することも可能となる。このような構成により、例えば、所謂遠隔手術を実施することも可能となる。
【００４０】
なお、一部の医療ネットワークエンドポイント２００がマスタ（Master）として動作することで、当該医療ネットワークエンドポイント２００に対して、他の医療ネットワークエンドポイント２００がスレーブ（Slave）として接続されてもよい。この場合には、マスタとして動作する医療ネットワークエンドポイント２００は、自身にスレーブとして接続された他の医療ネットワークエンドポイント２００の動作を管理してもよい。
【００４１】
医療ネットワークイネーブラ３００は、医療ネットワークエンドポイント２００における、医療ネットワークマネージャ１００との間の通信の窓口を担うエンティティである。具体的には、医療ネットワークイネーブラ３００は、医療ネットワークエンドポイント２００と医療ネットワークマネージャ１００との双方の通信内容をそれぞれ認識可能な形式で翻訳、解読、及び変換等の処理を行う。また、医療ネットワークイネーブラ３００は、医療ネットワークマネージャ１００による意思決定の内容を、所定の出力部（例えば、医療ネットワークエンドポイント２００のディスプレイ等）を介して、ユーザ（例えば、医師、看護師、患者等）に通知してもよい。また、医療ネットワークイネーブラ３００は、医療ネットワークマネージャ１００から通知されるデータに基づいて、医療ネットワークエンドポイント２００を動作させる機能を具備してもよい。
【００４２】
即ち、医療ネットワークイネーブラ３００は、医療ネットワークエンドポイント２００と医療ネットワークマネージャ１００との間の通信内容の意味を損なうことなく、当該通信内容を所定の形式の情報に変換できるように構成されていることが望ましい。なお、医療ネットワークイネーブラ３００は、物理デバイスとして提供される医療ネットワークエンドポイント２００に対してインストールされるソフトウェアとして構成されていてもよい。
【００４３】
医療ネットワーク監理データベース５００は、例えば、国、地域、または医療グループ等のような所定の単位で、法制及び条例を順守した運用がされているか否かの監視を目的として設置されるエンティティである。医療ネットワーク監理データベース５００は、例えば、医療ネットワークサービスを運用するための権限の付与、各種ネットワークエンティティに関する情報の登録及び管理、並びに、各種ネットワークエンティティの認証等を担う。
【００４４】
以上、図１を参照して、本実施形態に係る情報処理システムのアーキテクチャの一例について説明した。なお、図１に示しした各種ネットワークエンティティのより詳細な処理については、具体的な適用シーンを想定した実施例とあわせて別途後述する。
【００４５】
＜＜３．構成例＞＞
続いて、本実施形態に係る情報処理システム１における各ネットワークエンティティの構成の一例として、特に、医療ネットワークマネージャ１００及び医療ネットワークエンドポイント２００の機能構成の一例についてそれぞれ説明する。
【００４６】
＜３．１．医療ネットワークマネージャの構成例＞
まず、図２を参照して、本実施形態に係る医療ネットワークマネージャ１００の機能構成の一例について説明する。図２は、本実施形態に係る医療ネットワークマネージャ１００の機能構成の一例を示したブロック図である。
【００４７】
図２に示すように、医療ネットワークマネージャ１００は、通信部１１０と、記憶部１２０と、処理部１３０とを含む。
【００４８】
通信部１１０は、医療ネットワークマネージャ１００の各構成が、他のネットワークエンティティ（換言すると、他の装置、または当該装置で動作するサービス等）との間で、ネットワークを介して情報を送受信するための構成である。例えば、通信部１１０は、他のネットワークエンティティへ情報を送信し、他のネットワークエンティティから情報を受信する。上記他のネットワークエンティティは、例えば、他の医療ネットワークマネージャ１００、医療ネットワークエンドポイント２００、医療ネットワークイネーブラ３００、医療ネットワーク情報検索データベース４００、及び医療ネットワーク監理データベース５００等を含み得る。
【００４９】
記憶部１２０は、医療ネットワークマネージャ１００の動作のためのプログラム及び様々なデータを一時的または恒久的に記憶する。なお、記憶部１２０の少なくとも一部が、前述した医療ネットワーク情報検索データベース４００として構成されていてもよい。
【００５０】
処理部１３０は、医療ネットワークマネージャ１００の様々な機能を提供する。例えば、処理部１３０は、通信処理部１３１と、登録処理部１３３と、権限制御部１３５とを含む。
【００５１】
通信処理部１３１は、他のネットワークエンティティとの間のネットワークを介した情報の送受信を制御する。例えば、通信処理部１３１は、他のネットワークエンティティから送信されたリクエストを受け付け、当該リクエストの内容を解読し、解読結果を後述する権限制御部１３５に出力する。また、通信処理部１３１は、他のネットワークエンティティに対して各種通知を行う。例えば、通信処理部１３１は、権限制御部１３５による各種認証結果や権限に関する設定の制御結果に基づき、上記リクエストに対するレスポンスを、当該リクエストの送信元であるネットワークエンティティに通知してもよい。なお、通信処理部１３１のうち、リクエストを受け付ける部分が「受付部」の一例に相当し、レスポンスを通知する部分が「通知部」の一例に相当し得る。
【００５２】
また、通信処理部１３１は、他のネットワークエンティティから、当該ネットワークエンティティに関する情報や、当該ネットワークエンティティに関連付けられた他の対象（例えば、医師、看護師、薬剤師等のユーザ）に関する情報を取得してもよい。この場合には、通信処理部１３１は、取得した情報を登録処理部１３３に出力してもよい。
【００５３】
登録処理部１３３は、他のネットワークエンティティから取得された各種情報を、医療ネットワーク情報検索データベース４００に登録する。また、登録処理部１３３は、他のネットワークエンティティから取得された各種情報に基づき、医療ネットワーク情報検索データベース４００に登録された情報を更新してもよい。
【００５４】
権限制御部１３５は、通信処理部１３１から通知される他のネットワークエンティティからのリクエストの内容に応じて、各種認証に係る処理や、各種権限の設定に関する制御を実行する。例えば、権限制御部１３５は、通知されたリクエストの内容に応じて、他のネットワークエンティティに対して直接的または間接的に関連付けられた属性情報に基づき、当該ネットワークエンティティによる各種処理の実行を許可するか否かの認証を行ってもよい。なお、ネットワークエンティティに対して直接的に関連付けられた情報としては、例えば、当該ネットワークエンティティ自体に関連する属性情報が挙げられる。また、ネットワークエンティティに対して間接的に関連付けられた情報とは、例えば、当該ネットワークエンティティに関連付けられた他の対象（例えば、医師、看護師、薬剤師等のユーザ）に関連する属性情報が挙げられる。なお、権限制御部１３５が、各種権限の設定を制御する「制御部」の一例に相当し、各種認証を実行する「認証処理部」の一例に相当し得る。
【００５５】
また、他の一例として、権限制御部１３５は、通知されたリクエストの内容に応じて、他のネットワークエンティティに対して直接的または間接的に関連付けられた属性情報に基づき、当該ネットワークエンティティに対する、各種処理の実行に関連する権限の設定を制御してもよい。
【００５６】
また、権限制御部１３５は、各種認証に係る処理や、各種権限の設定に関する制御を実行するために、通知されたリクエストの内容に応じて、各種情報を所定の記憶領域（例えば、医療ネットワーク監理データベース５００）から取得してもよい。例えば、権限制御部１３５は、通知されたリクエストの内容が示す条件に基づき医療ネットワーク監理データベース５００を探索することで、当該条件に該当するユーザ（例えば、医師、看護師、薬剤師等）の情報を抽出してもよい。
【００５７】
以上、図２を参照して、本実施形態に係る医療ネットワークマネージャ１００の機能構成の一例について説明した。なお、医療ネットワークマネージャ１００の動作のより詳細な内容については、具体的な適用シーンを想定した実施例とあわせて別途後述する。
【００５８】
＜３．２．医療ネットワークエンドポイントの構成例＞
続いて、図３を参照して、本実施形態に係る医療ネットワークエンドポイント２００の機能構成の一例について説明する。図３は、本実施形態に係る医療ネットワークエンドポイント２００の機能構成の一例を示したブロック図である。
【００５９】
図３に示すように、医療ネットワークエンドポイント２００は、通信部２１０と、入力部２２０と、出力部２３０と、記憶部２４０と、処理部２５０とを含む。
【００６０】
通信部２１０は、医療ネットワークエンドポイント２００の各構成が、医療ネットワークマネージャ１００との間で、ネットワークを介して情報を送受信するための構成である。例えば、通信部２１０は、医療ネットワークマネージャ１００へ情報を送信し、医療ネットワークマネージャ１００から情報を受信する。
【００６１】
入力部２２０は、医療ネットワークエンドポイント２００に対するユーザからの入力を受け付け、当該入力内容を示す制御情報を処理部２５０に出力する。入力部２２０は、例えば、マウス、キーボード、タッチパネル、ボタン、スイッチ、レバー及びペダル等のような入力デバイスにより構成され得る。
【００６２】
出力部２３０は、ユーザに対して各種情報を提示する。例えば、出力部２３０は、液晶ディスプレイやＥＬ（Electroluminescence）ディスプレイ等の表示デバイスにより構成され得る。この場合には、出力部２３０は、提示対象となる情報が提示された画面を表示することで、当該情報をユーザに提示する。また、出力部２３０は、スピーカ等のような音声等の音響を出力する音響デバイスにより構成されていてもよい。この場合には、出力部２３０は、提示対象となる情報に対応する音声や音響を出力することで、当該情報をユーザに提示する。なお、提示対象となる情報を所定の態様でユーザに提示することが可能であれば、出力部２３０の構成は、上述した例には限定されない。
【００６３】
記憶部２４０は、医療ネットワークエンドポイント２００の動作のためのプログラム及び様々なデータを一時的または恒久的に記憶する。
【００６４】
処理部２５０は、医療ネットワークエンドポイント２００の様々な機能を提供する。例えば、処理部２５０は、通信処理部２５１と、処理実行部２５３と、入出力制御部２５５とを含む。なお、以下に説明する、通信処理部２５１、処理実行部２５３、及び入出力制御部２５５それぞれの各機能のうち少なくとも一部の機能を、医療ネットワークエンドポイント２００に関連付けられた医療ネットワークイネーブラ３００が担ってもよい。
【００６５】
通信処理部２５１は、医療ネットワークマネージャ１００との間のネットワークを介した情報の送受信を制御する。例えば、通信処理部１３１は、医療ネットワークマネージャ１００に対して、各種処理（例えば、医療に関連する処理）の実行に関するリクエストを送信する。また、通信処理部２５１は、医療ネットワークマネージャ１００から各種通知を取得してもよい。例えば、通信処理部２５１は、上記リクエストに対するレスポンスを医療ネットワークマネージャ１００から取得してもよい。
【００６６】
また、通信処理部２５１は、医療ネットワークエンドポイント２００の情報や、当該医療ネットワークエンドポイント２００に関連付けられた他の対象の（例えば、医師、看護師、薬剤師等のユーザ）に関する情報の登録を、医療ネットワークマネージャ１００にリクエストしてもよい。この場合には、通信処理部２５１は、登録対象となる情報（例えば、属性情報）を、所定の記憶領域（例えば、記憶部２４０）から読み出してもよい。また、他の一例として、通信処理部２５１は、入力部２２０を介したユーザ入力に基づき取得してもよい。なお、通信処理部２５１のうち、リクエストを送信する部分が「送信部」の一例に相当し、レスポンスを取得する部分が「取得部」の一例に相当し得る。
【００６７】
処理実行部２５３は、医療ネットワークエンドポイント２００の各種機能を実行するための構成である。例えば、処理実行部２５３は、入力部２２０を介したユーザ入力に基づき指定された機能（例えば、アプリケーション）を、記憶部２４０に記憶された各種データに基づき実行してもよい。また、処理実行部２５３は、医療ネットワークマネージャ１００からの通知に基づき、対応する機能を実行してもよい。
【００６８】
入出力制御部２５５は、入力部２２０を介した情報の入力と、出力部２３０を介した情報の出力とを制御する。例えば、入出力制御部２５５は、医療ネットワークエンドポイント２００に対して情報を入力するためのＵＩを、出力部２３０を介してユーザに提示し、当該ＵＩに対する情報の入力結果を入力部２２０から取得してもよい。また、入出力制御部２５５は、処理実行部２５３による各種機能の実行結果を、出力部２３０を介してユーザに提示してもよい。また、入出力制御部２５５は、医療ネットワークマネージャ１００からの通知に基づく出力情報を、出力部２３０を介してユーザに提示してもよい。
【００６９】
以上、図３を参照して、本実施形態に係る医療ネットワークエンドポイント２００の機能構成の一例について説明した。
【００７０】
＜＜４．技術的特徴＞＞
続いて、本実施形態に係る情報処理システムの技術的特徴について説明する。
【００７１】
まず前提として、ネットワークを介した医療サービスの提供を想定した場合には、多様な種類の権限の付与（または委譲）が生じ得る。具体的な一例として、以下に示すような状況下において権限の付与が生じ得る。もちろん、下記に示す例はあくまで一例であり、権限の付与が生じ得る状況や、付与される権限の種類は必ずしも下記に示す例には限定されない。
・医療機器の遠隔操作に関する認証や操作権限の付与
・遠隔診療行為の許可
・緊急時を想定した、医師から看護師への、診療機械の使用や医薬品授与等に係る指示
【００７２】
本実施形態に係る情報処理システムでは、上記のように権限の付与や委譲が生じる多様な状況それぞれにおいて、各種権限の設定の管理（即ち、権限の付与、権限の委譲、及び認証等）をより好適な態様で実現することが可能な仕組みを提供する。具体的には、本実施形態に係る情報処理システムは、主に、「情報の登録に係る手続き」と「権限の設定の制御に係る手続き」とに基づき、各種状況に応じた権限の設定の管理を実現している。そこで、以降では、本実施形態に係る情報処理システムの技術的特徴について、「情報の登録に係る手続き」と、「権限の設定の制御に係る手続き」とに分けてそれぞれ説明する。
【００７３】
＜４．１．情報の登録に係る手続き＞
まず、本実施形態に係る情報処理システムにおける、情報の登録に係る手続きに関する処理について説明する。情報の登録に係る手続きは、本実施形態に係る情報処理システム１において、医療ネットワークマネージャ１００等のネットワークエンティティが、権限の設定の制御（例えば、権限の付与、権限の委譲、認証等）に係る意思決定の材料となる情報を、収集、登録、及び保持するための手続きである。本手続きは、医療ネットワークエンドポイント２００、医療ネットワークイネーブラ３００、医療ネットワークマネージャ１００、及び医療ネットワーク情報検索データベース４００の各ネットワークエンティティ間で行われる。そこで、図４〜図６を参照して、各ネットワークエンティティ間で行われる情報の登録に係る手続きそれぞれについて、一連の処理の流れの一例について説明する。図４〜図６は、本実施形態に係る情報処理システムにおける情報の登録に係る手続きについて、一連の処理の流れの一例を示したシーケンス図である。
【００７４】
まず、図４を参照して、医療ネットワークエンドポイント２００と医療ネットワークイネーブラ３００との間の手続きにおける一連の処理の流れの一例について説明する。
【００７５】
医療ネットワークイネーブラ３００は、医療ネットワークエンドポイント２００に対して情報の登録に関するリクエストを送信することで、登録の対象となる情報の提示を依頼する（Ｓ１０１）。医療ネットワークエンドポイント２００は、医療ネットワークイネーブラ３００から情報の登録に関するリクエストを受けると、登録の対象となる情報を収集し、収集した当該情報を上記リクエストに対するレスポンスに関連付けて医療ネットワークイネーブラ３００に通知する。なお、以降の説明では、上記リクエストを「情報登録リクエスト（Registration  Request）」とも称し、当該情報登録リクエストに対するレスポンスを「情報登録レスポンス（Registration  Response）」とも称する。
【００７６】
登録の対象となる情報としては、例えば、医療ネットワークエンドポイント２００自体に関連する属性情報や、当該医療ネットワークエンドポイント２００に関連付けられたユーザ（例えば、医師、看護師、薬剤師、患者等）に関連する属性情報が挙げられる。例えば、以下に示す表１は、情報登録レスポンスに関連付けられる情報の一例を示している。
【００７７】
【表１】
2018067197.tif 000003
【００７８】
なお、表１に示した情報はあくまで一例であり、登録対象となる情報は必ずしも表１に示した例には限定されない。また、表１に示した情報全てを要するものではなく、一部の情報のみが登録対象として設定されていてもよい。
【００７９】
また、医療ネットワークエンドポイント２００が表１に示した各種情報を収集することが可能であれば、その方法は特に限定されない。例えば、医療ネットワークエンドポイント２００は、所定の記憶領域に保持されたデータを参照することで、登録対象となる情報を取得してもよい。また、他の一例として、医療ネットワークエンドポイント２００は、所定の入力部を介したユーザ入力に基づき、登録対象となる情報を取得してもよい。また、他の一例として、医療ネットワークエンドポイント２００は、ネットワークを介して所定のサーバ等の装置にアクセスすることで、当該装置から登録対象となる情報を取得してもよい。
【００８０】
続いて、図５を参照して、医療ネットワークイネーブラ３００と医療ネットワークマネージャ１００との間の手続きにおける一連の処理の流れの一例について説明する。
【００８１】
医療ネットワークイネーブラ３００は、医療ネットワークエンドポイント２００から情報登録レスポンスの通知を受けた後に、医療ネットワークマネージャ１００に対して医療登録リクエストを送信する（Ｓ１０５）。このとき、医療ネットワークイネーブラ３００は、医療ネットワークエンドポイント２００から通知された情報登録レスポンスに関連付けられた各種情報（例えば、表１に示す情報）を、医療ネットワークマネージャ１００に送信する情報登録リクエストに関連付ける。また、医療ネットワークイネーブラ３００は、医療ネットワークマネージャ１００に送信する情報登録リクエストに対して、以下の表２に示す情報を追加で関連付けてもよい。
【００８２】
【表２】
2018067197.tif 000004
【００８３】
医療ネットワークマネージャ１００は、医療ネットワークイネーブラ３００から情報登録リクエスト受信すると、当該医療ネットワークイネーブラ３００に対して情報登録レスポンスを通知する（Ｓ１０７）。
【００８４】
続いて、図６を参照して、医療ネットワークマネージャ１００と医療ネットワーク情報検索データベース４００との間の手続きにおける一連の処理の流れの一例について説明する。
【００８５】
医療ネットワークマネージャ１００は、医療ネットワークイネーブラ３００から情報登録リクエストを受信すると、医療ネットワーク情報検索データベース４００に対して情報登録リクエストを送信する（Ｓ１０９）。このとき、医療ネットワークマネージャ１００は、医療ネットワークイネーブラ３００から受信した情報登録レスポンスに関連付けられた各種情報（例えば、表１、表２に示す情報）を、医療ネットワーク情報検索データベース４００に送信する情報登録リクエストに関連付ける。また、医療ネットワークマネージャ１００は、医療ネットワーク情報検索データベース４００に送信する情報登録リクエストに対して、以下の表３に示す情報を追加で関連付けてもよい。
【００８６】
【表３】
2018067197.tif 000005
【００８７】
医療ネットワーク情報検索データベース４００は、医療ネットワークマネージャ１００から情報登録リクエスト受信すると、当該情報登録リクエストに関連付けられた各種情報を、所定の記憶領域（例えば、リポジトリ）に記憶させる。そして、医療ネットワーク情報検索データベース４００は、当該医療ネットワークマネージャ１００に対して情報登録レスポンスを通知する（Ｓ１１１）。
【００８８】
以上、図４〜図６を参照して、各ネットワークエンティティ間で行われる情報の登録に係る手続きそれぞれについて、一連の処理の流れの一例について説明した。以上のような手続きにより、医療ネットワークマネージャ１００等のネットワークエンティティが、権限の設定の制御（例えば、権限の付与や委譲）に係る意思決定を行うための材料となる情報を、医療ネットワーク情報検索データベース４００に保持させることが可能となる。
【００８９】
なお、上記では、情報の登録に係る手続に着目して説明したが、各種情報の変更に伴い登録された情報を更新する場合においても、同様の手続きに従って更新後の情報が医療ネットワーク情報検索データベース４００に送信されればよい。また、上記では、各ネットワークエンティティ間の手続きを個別に説明したが、各手続きはそれぞれ個別に行われてもよいし、少なくとも一部のネットワークエンティティ間における複数の手続きが一連の手続きとしてシーケンシャルに行われてもよい。
【００９０】
＜４．２．権限の設定の制御に係る手続き＞
続いて、本実施形態に係る情報処理システムにおける、権限の設定の制御に係る手続きや各種認証に係る手続きに関する処理について説明する。本実施形態に係る情報処理システム１では、各種権限の付与や委譲等のような権限の設定の制御や各種認証は、医療ネットワークマネージャ１００により、医療ネットワーク情報検索データベース４００に登録された各種情報に基づき行われる。なお、本説明では、本実施形態に係る情報処理システムの処理について、特に、権限の設定の制御に関する処理に着目して説明し、認証に係る処理については基本的な考え方（例えば、各ネットワークエンティティ間における手続きの流れ）は同様のため詳細な説明は省略する。
【００９１】
（１）第１のケース
例えば、図７は、本実施形態に係る情報処理システム１における権限の設定の制御に係る手続きの一例について、一連の処理の流れを示したシーケンス図である。図７に示す例では、医療ネットワークマネージャ１００が、医療ネットワークイネーブラ３００または他の医療ネットワークマネージャ１００からのリクエストに基づき、当該リクエストの送信元に対する権限の設定を制御する場合の一例を示している。
【００９２】
具体的には、図７に示すように、医療ネットワークイネーブラ３００または他の医療ネットワークマネージャ１００は、医療ネットワークマネージャ１００に対して、権限の付与や委譲に関するリクエストを送信する（Ｓ１２１）。なお、以降の説明では、当該リクエストを「権限設定リクエスト（Grant  Request）」とも称する。
【００９３】
また、医療ネットワークイネーブラ３００または他の医療ネットワークマネージャ１００は、権限設定リクエストに対して、医療ネットワークマネージャ１００が意思決定に利用する情報を関連付けてもよい。例えば、以下に示す表４は、権限設定リクエストに関連付けられる情報の一例を示している。
【００９４】
【表４】
2018067197.tif 000006
【００９５】
医療ネットワークマネージャ１００は、医療ネットワークイネーブラ３００または他の医療ネットワークマネージャ１００から権限設定リクエストを受け付けると、当該権限設定リクエストにより依頼された権限の設定の制御に関する意思決定を行う。具体的な一例として、医療ネットワークマネージャ１００は、権限設定リクエストに関連付けられた情報に基づき、権限の設定の制御対象に関する情報を医療ネットワーク情報検索データベース４００に探索させて取得する。例えば、医療ネットワークマネージャ１００は、上記医療ネットワークイネーブラ３００に対応するユーザに関する情報（例えば、ユーザ情報、免許情報、専門情報等）を取得してもよい。次いで、医療ネットワークマネージャ１００は、取得した情報に基づき、権限設定リクエストの送信元に対する権限の付与に関する意思決定を行い、その結果に基づき、権限設定リクエストの送信元に対する権限の設定の制御（例えば、権限の付与）を行う（Ｓ１２３）。
【００９６】
そして、医療ネットワークマネージャ１００は、権限設定リクエストの送信元に対して、当該権限設定リクエストに対するレスポンスを通知する（Ｓ１２５）。なお、以降の説明では、当該レスポンスを「権限設定レスポンス（Grant  Response）」とも称する。
【００９７】
また、このとき医療ネットワークマネージャ１００は、権限設定レスポンスに対して、権限の設定の制御結果に関する情報を関連付けてもよい。例えば、以下に示す表５は、権限設定レスポンスに関連付けられる情報の一例を示している。
【００９８】
【表５】
2018067197.tif 000007
【００９９】
以上により、医療ネットワークイネーブラ３００または他の医療ネットワークマネージャ１００からのリクエストに応じて、医療ネットワークマネージャ１００により、当該リクエストの送信元に対する権限の設定が、当該送信元に直接的または間接的に関連付けられた属性情報に基づき制御される。
【０１００】
（２）第２のケース
続いて、図８を参照して、本実施形態に係る情報処理システム１における権限の設定の制御に係る手続きの他の一例について説明する。図８は、本実施形態に係る情報処理システム１における権限の設定の制御に係る手続きの他の一例について、一連の処理の流れを示したシーケンス図である。図８に示す例では、医療ネットワークマネージャ１００が、医療ネットワークイネーブラ３００からのリクエストに基づき、他の医療ネットワークイネーブラ３００に対する権限の設定を制御する場合の一例を示している。なお、本説明では、便宜上、リクエストの送信元である医療ネットワークイネーブラ３００を、「医療ネットワークイネーブラ３００Ａ」と称し、権限の設定の制御対象となる他の医療ネットワークイネーブラ３００を、「医療ネットワークイネーブラ３００Ｂ」と称する。
【０１０１】
具体的には、図８に示すように、医療ネットワークイネーブラ３００Ａは、医療ネットワークマネージャ１００に対して、権限設定リクエスト（Grant  Request）を送信する（Ｓ１３１）。このとき、医療ネットワークイネーブラ３００Ａは、権限設定リクエストに対して、医療ネットワークマネージャ１００が意思決定に利用する情報を関連付けてもよい。なお、権限設定リクエストに対して関連付けられる情報については、表１を参照して前述したとおりである。
【０１０２】
医療ネットワークマネージャ１００は、医療ネットワークイネーブラ３００Ａから権限設定リクエストを受け付けると、当該権限設定リクエストにより依頼された権限の設定の制御に関する意思決定を行う。具体的な一例として、医療ネットワークマネージャ１００は、権限設定リクエストに関連付けられた情報に基づき、権限の設定の制御対象（即ち、医療ネットワークイネーブラ３００Ｂ）に関する情報を医療ネットワーク情報検索データベース４００に探索させて取得する。なお、権限の設定の制御対象となる医療ネットワークイネーブラ３００Ｂは、例えば、医療ネットワークイネーブラ３００Ａにより権限設定リクエストに基づき指定されてもよい。また、他の一例として、医療ネットワークマネージャ１００が、権限設定リクエストに関連付けられた情報に応じて、権限の設定の制御対象となる医療ネットワークイネーブラ３００Ｂを特定してもよい。次いで、医療ネットワークマネージャ１００は、取得した情報に基づき、医療ネットワークイネーブラ３００Ｂに対する権限の設定の制御に関する意思決定を行い、その結果に基づき、当該医療ネットワークイネーブラ３００Ｂに対する権限の設定の制御（例えば、権限の付与）を行う（Ｓ１３３）。
【０１０３】
そして、医療ネットワークマネージャ１００は、権限の設定の制御対象となる医療ネットワークイネーブラ３００Ｂに対して、当該権限の設定の制御が行われたことを示す通知を送信する（Ｓ１３５）。医療ネットワークイネーブラ３００Ｂは、医療ネットワークマネージャ１００からの通知に基づき、自身に対する権限の設定が制御されたことを認識する。なお、このとき医療ネットワークイネーブラ３００Ｂは、当該権限の設定の制御結果を自身に関連付けられた医療ネットワークエンドポイント２００を介してユーザに提示することで、当該ユーザに、当該権限の設定の制御結果を受け入れるか否かを確認してもよい。そして、医療ネットワークイネーブラ３００Ｂは、医療ネットワークマネージャ１００からの通知に対する確認結果を、当該医療ネットワークマネージャ１００に送信する（Ｓ１３７）。なお、以降では、上記通知を「権限設定通知（Grant  Indication）」とも称し、当該権限設定通知に対する応答として送信される確認結果を「権限設定確認（Grant  Confirm）」とも称する。
【０１０４】
医療ネットワークマネージャ１００は、医療ネットワークイネーブラ３００Ｂから権限設定通知に対する応答として権限設定確認を受信すると、対応する権限設定リクエストの送信元である医療ネットワークイネーブラ３００Ａに対して権限設定レスポンスを送信する（Ｓ１３９）。
【０１０５】
以上により、医療ネットワークイネーブラ３００Ａからのリクエストに応じて、医療ネットワークマネージャ１００により、医療ネットワークイネーブラ３００Ｂに対する権限の設定が当該医療ネットワークイネーブラ３００Ｂに直接的または間接的に関連付けられた属性情報に基づき制御される。また、この場合には、医療ネットワークマネージャ１００は、医療ネットワークイネーブラ３００Ａからのリクエストに基づき、権限の設定の制御対象となる医療ネットワークイネーブラ３００Ｂを特定することも可能である。
【０１０６】
（３）第３のケース
続いて、図９を参照して、本実施形態に係る情報処理システム１における権限の設定の制御に係る手続きの他の一例について説明する。図９は、本実施形態に係る情報処理システム１における権限の設定の制御に係る手続きの他の一例について、一連の処理の流れを示したシーケンス図である。図９に示す例は、複数の医療ネットワークマネージャ１００が連携して動作する場合の一例を示している。なお、本説明では、便宜上、リクエストの送信元である医療ネットワークイネーブラ３００を、「医療ネットワークイネーブラ３００Ａ」と称し、権限の設定の制御対象となる他の医療ネットワークイネーブラ３００を、「医療ネットワークイネーブラ３００Ｂ」と称する。また、医療ネットワークイネーブラ３００Ａを管理する医療ネットワークマネージャ１００を、「医療ネットワークマネージャ１００Ａ」と称し、医療ネットワークイネーブラ３００Ｂを管理する医療ネットワークマネージャ１００を、「医療ネットワークマネージャ１００Ｂ」と称する。
【０１０７】
具体的には、図８に示すように、医療ネットワークイネーブラ３００Ａは、医療ネットワークマネージャ１００Ａに対して、権限設定リクエスト（Grant  Request）を送信する（Ｓ１５１）。このとき、医療ネットワークイネーブラ３００Ａは、権限設定リクエストに対して、医療ネットワークマネージャ１００Ａが意思決定に利用する情報を関連付けてもよい。なお、権限設定リクエストに対して関連付けられる情報については、表１を参照して前述したとおりである。
【０１０８】
医療ネットワークマネージャ１００Ａは、医療ネットワークイネーブラ３００Ａから権限設定リクエストを受け付けると、当該権限設定リクエストにより依頼された権限の設定の制御に関する意思決定を行う。具体的な一例として、医療ネットワークマネージャ１００Ａは、権限設定リクエストに関連付けられた情報を基に、当該情報に応じた条件に該当する医療ネットワークイネーブラ３００Ｂに関する情報を、医療ネットワーク情報検索データベース４００に探索させて取得する。また、医療ネットワークマネージャ１００Ａは、当該医療ネットワークイネーブラ３００Ｂを管理する医療ネットワークマネージャ１００Ｂに関する情報を、医療ネットワーク情報検索データベース４００に探索させて取得してもよい。次いで、医療ネットワークマネージャ１００は、取得した情報に基づき、医療ネットワークイネーブラ３００Ｂに対する権限の設定の制御に関する意思決定を行い、その結果に基づき、当該医療ネットワークイネーブラ３００Ｂに対する権限の設定の制御（例えば、権限の付与）を行う（Ｓ１５３）。
【０１０９】
そして、医療ネットワークマネージャ１００Ａは、権限の設定の制御対象となる医療ネットワークイネーブラ３００Ｂを管理する医療ネットワークマネージャ１００Ｂに対して権限設定通知（Grant  Indication）を送信する（Ｓ１５５）。このとき、医療ネットワークマネージャ１００Ａは、当該権限設定通知に対して、権限の設定の制御対象となる医療ネットワークイネーブラ３００Ｂを特定するための情報を関連付けてもよい。
【０１１０】
医療ネットワークマネージャ１００Ｂは、医療ネットワークマネージャ１００Ａから権限設定通知を受信すると、当該権限設定通知に基づき、権限の設定の制御対象となる医療ネットワークイネーブラ３００Ｂを特定する。そして、医療ネットワークマネージャ１００Ｂは、医療ネットワークマネージャ１００Ａから受信した権限設定通知を、特定した当該医療ネットワークイネーブラ３００Ｂに転送する（Ｓ１５７）。なお、このとき医療ネットワークイネーブラ３００Ｂは、当該権限の設定の制御結果を自身に関連付けられた医療ネットワークエンドポイント２００を介してユーザに提示することで、当該ユーザに、当該権限の設定の制御結果を受け入れるか否かを確認してもよい。そして、医療ネットワークイネーブラ３００Ｂは、医療ネットワークマネージャ１００Ｂから送信された権限設定通知に対する応答として、権限設定確認（Grant  Confirm）を、当該医療ネットワークマネージャ１００Ｂに送信する（Ｓ１５９）。医療ネットワークマネージャ１００Ｂは、権限設定通知に対する応答として権限設定確認を医療ネットワークマネージャ１００Ｂから受信すると、当該権限設定確認を、当該権限設定通知の送信元である医療ネットワークマネージャ１００Ａに転送する（Ｓ１６１）。
【０１１１】
医療ネットワークマネージャ１００Ａは、医療ネットワークマネージャ１００Ｂから権限設定通知に対する応答として権限設定確認を受信すると、対応する権限設定リクエストの送信元である医療ネットワークイネーブラ３００Ａに対して権限設定レスポンス（Grant  Response）を送信する（Ｓ１６３）。
【０１１２】
また、医療ネットワークマネージャ１００Ａは、権限設定リクエストに関連付けられた情報や、上述した権限の設定の制御に際して取得した情報等のような、権限の設定の制御に関連する情報（Grant  Information）を医療ネットワークマネージャ１００Ｂに転送する（Ｓ１６５）。医療ネットワークマネージャ１００Ｂは、医療ネットワークマネージャ１００Ａから当該情報の転送を受けると、当該医療ネットワークマネージャ１００Ａに対して情報の受信や確認が完了した旨を示す通知（Confirm）を行う（Ｓ１６７）。
【０１１３】
以上のような制御により、医療ネットワークイネーブラ３００Ａからのリクエストに応じて、他の医療ネットワークマネージャ１００Ｂが管理する医療ネットワークイネーブラ３００Ｂに対する権限の設定が、当該医療ネットワークイネーブラ３００Ｂに直接的または間接的に関連付けられた属性情報に基づき制御される。これにより、例えば、複数の医療機関が連携するような状況下においても、各種権限の設定の管理（即ち、権限の付与、権限の委譲、及び認証等）をより好適な態様で実現することが可能となる。
【０１１４】
以上、図７〜図９を参照して、本実施形態に係る情報処理システムにおける、権限の設定の制御に係る手続きに関する処理について説明した。
【０１１５】
＜＜５．実施例＞＞
続いて、本実施形態に係る情報処理システム１の実施例について、当該情報処理システム１のより具体的な適用シーンに着目して説明する。
【０１１６】
＜５．１．実施例１：遠隔診療における医師及び患者のマッチングサービス＞
まず、実施例１として、患者がネットワークを介して遠隔地の医師から診療を受ける遠隔診療において、患者と医師との間のマッチングを行うサービスを実現するための制御の一例について説明する。例えば、図１０は、実施例１に係る情報処理システムの概要について説明するための説明図であり、上記サービスが適用されるシーンの一例を示している。
【０１１７】
具体的には、図１０に示すように、医師が常駐していない離島に在住する患者Ｕｂに対して、本土の病院の医師Ｕａが、ネットワークを介して医療サービス（特に、診療サービス）を提供するような状況が想定され得る。このような状況下では、患者側の心情を考慮すると、患者に対して、可能な限り当該患者の健康状態の診察に適しており、かつより優秀な医師との接点を持たせることが望ましい場合がある。このような状況を鑑み、本実施例では、ネットワークシステムを活用した、医師と患者との間のマッチングサービスを提供するための仕組みの一例について提案する。
【０１１８】
まず、前提として、医師Ｕａは、自身に関する情報を、自身の保持する医療ネットワークエンドポイント２００ａを介して医療ネットワーク情報検索データベース４００または当該医療ネットワーク情報検索データベース４００がアクセス可能なサーバに登録しておく。例えば、以下に示す表６は、医師に関する登録情報の一例を示している。
【０１１９】
【表６】
2018067197.tif 000008
【０１２０】
同様に、患者Ｕｂは、自身に関する情報を、自身の保持する医療ネットワークエンドポイント２００ｂを介して医療ネットワーク情報検索データベース４００または当該医療ネットワーク情報検索データベース４００がアクセス可能なサーバに登録しておく。例えば、以下に示す表７は、患者に関する登録情報の一例を示している。
【０１２１】
【表７】
2018067197.tif 000009
【０１２２】
以上のように、医師Ｕａ及び患者Ｕｂそれぞれの情報が登録された状態において、患者Ｕｂは、所望のタイミングで、自身の保持する医療ネットワークエンドポイント２００ｂを介して、医療ネットワークマネージャ１００に対して遠隔診療のリクエストを行う。例えば、図１１は、実施例１に係る情報処理システム１の一連の処理の流れの一例を示したシーケンス図である。なお、本説明では、便宜上、医師Ｕａが保持する医療ネットワークエンドポイント２００ａに関連付けられた医療ネットワークイネーブラ３００を、「医療ネットワークイネーブラ３００ａ」とも称する。また、患者Ｕｂが保持する医療ネットワークエンドポイント２００ｂに関連付けられた医療ネットワークイネーブラ３００を、「医療ネットワークイネーブラ３００ｂ」とも称する。
【０１２３】
図１１に示すように、患者Ｕｂが医療ネットワークエンドポイント２００ｂを操作して遠隔診療のリクエストを行うと、医療ネットワークイネーブラ３００ｂは、医療ネットワークマネージャ１００に対して遠隔診療リクエストを送信する（Ｓ２０１）。このとき医療ネットワークイネーブラ３００ｂは、遠隔診療リクエストに対して、医療ネットワークマネージャ１００が意思決定に利用する情報を関連付けてもよい。なお、遠隔診療リクエストに関連付けられる情報としては、例えば、「遠隔診療サービスを示す識別子」や「遠隔診療に関する各種情報」等が挙げられる。また、「遠隔診療に関する各種情報」としては、例えば、「診療科の種別」、「医師の性別の希望」、「診療の希望日時」、及び「その他のコメント」等が挙げられる。なお、「その他のコメント」は、例えば、注意事項等のように患者が任意で入力する情報を示している。
【０１２４】
医療ネットワークマネージャ１００は、医療ネットワークイネーブラ３００ｂから遠隔診療リクエストを受信すると、当該遠隔診療リクエストに関連付けられた情報を基に、当該情報に応じた条件に該当する医師を、医療ネットワーク情報検索データベース４００に探索させる。具体的な一例として、医療ネットワークマネージャ１００は、各医師に属性情報として関連付けられた専門情報（即ち、診療科区分や標榜科区分）が、遠隔診療リクエストに関連付けられた情報の条件を満たす医師を特定してもよい。また、他の一例として、医療ネットワークマネージャ１００は、各医師に属性情報として関連付けられた位置情報と、患者Ｕｂに属性情報として関連付けられた位置情報とに基づく、当該医師と当該患者Ｕｂとの間の距離の条件を満たす医師（例えば、患者のより近くに位置する医師）を特定してもよい。このような制御により、医療ネットワークマネージャ１００は、例えば、患者Ｕｂの要望を満たす医師Ｕａや、当該医師Ｕａに対応する医療ネットワークイネーブラ３００ａに関する情報を取得することが可能となる。次いで、医療ネットワークマネージャ１００は、取得した情報に基づき、特定した医師Ｕａに対応する医療ネットワークイネーブラ３００ａに対する、患者Ｕｂの遠隔診療権限の付与に関する意思決定を行う。そして、医療ネットワークマネージャ１００は、当該意思決定の結果に基づき、当該医療ネットワークイネーブラ３００ａに対する患者Ｕｂの遠隔診療権限の設定の制御（即ち、遠隔診療権限の付与）を行う（Ｓ２０３）。
【０１２５】
次いで、医療ネットワークマネージャ１００は、医療ネットワークイネーブラ３００ａに対して、患者Ｕｂの遠隔診療権限の設定の付与が行われたことを示す権限設定通知（遠隔診療権限設定通知）を送信する（Ｓ２０５）。医療ネットワークイネーブラ３００ａは、医療ネットワークマネージャ１００からの通知に基づき、自身に対して患者Ｕｂの遠隔診療権限の付与が行われたことを認識する。また、このとき医療ネットワークイネーブラ３００ａは、遠隔診療権限の付与が行われたことを、医療ネットワークエンドポイント２００ａを介して医師Ｕａに提示し、当該医師Ｕａに、患者Ｕｂの遠隔診療権限の付与を受け入れるか否か（換言すると、患者Ｕｂの遠隔診療を受け入れるか否か）を確認する。そして、医療ネットワークイネーブラ３００ａは、医師Ｕａによる患者Ｕｂの遠隔診療権限の付与の受け入れを確認すると、遠隔診療権限設定通知に対する応答として権限設定確認（遠隔診療権限設定確認）を、医療ネットワークマネージャ１００に送信する（Ｓ２０７）。
【０１２６】
医療ネットワークマネージャ１００は、医療ネットワークイネーブラ３００ａから遠隔診療権限設定通知に対する応答として遠隔診療権限設定確認を受信すると、医療ネットワークイネーブラ３００ｂに対して遠隔診療レスポンスを送信する（Ｓ２０９）。
【０１２７】
以上により、患者Ｕｂからの医療ネットワークエンドポイント２００ｂを介した遠隔診療の依頼に応じて、医師Ｕａが特定され、当該医師Ｕａに対応する医療ネットワークイネーブラ３００ａに対して患者Ｕｂの遠隔診療の権限が付与される。このような制御により、例えば、患者Ｕｂの診療を行うための条件（例えば、免許、医療行為の科目等）を満たす医師Ｕａが特定され、当該医師Ｕａに対して患者Ｕｂの遠隔診療を行うための権限がより好適な態様で設定される（例えば、必要とされる範囲で権限が設定される）。これにより、医師Ｕａは、医療ネットワークイネーブラ３００ａに関連付けられた医療ネットワークエンドポイント２００ａを介して、患者Ｕｂに対して遠隔診療サービスを提供することが可能となる（Ｓ２１１）。
【０１２８】
なお、本実施例では、患者に対して遠隔診療のサービスを提供する場合の一例に着目して説明したが、情報処理システム１が患者に対して医療ネットワークエンドポイント２００を介して医療サービスを提供することが可能であれば、当該医療サービスの種別は特に限定されない。また、医療ネットワークマネージャ１００は、患者に関連付けられた属性情報に応じて、当該患者に提供する医療サービスを制御してもよい。具体的な一例として、医療ネットワークマネージャ１００は、各患者の位置情報（換言すると、当該患者に関連付けられた医療ネットワークエンドポイント２００の位置情報）に応じて、当該患者に提供する医療サービスの種別や、当該医療サービスの内容を選択的に切り替えてもよい。
【０１２９】
以上、実施例１として、図１０及び図１１を参照して、患者がネットワークを介して遠隔地の医師から診療を受ける遠隔診療において、患者と医師との間のマッチングを行うサービスを実現するための制御の一例について説明した。
【０１３０】
＜５．２．実施例２：医療機器の遠隔操作＞
続いて、実施例２として、医師がネットワークを介して医療機器の遠隔操作を行う場合において、医師からの依頼に応じて、当該医師に対する医療機器の遠隔操作に関する権限の設定の制御を行う場合の一例について説明する。
【０１３１】
例えば、図１２は、実施例２に係る情報処理システム１の一連の処理の流れの一例を示したシーケンス図である。なお、本説明では、便宜上、医師Ｕａが保持する医療ネットワークエンドポイント２００を「医療ネットワークエンドポイント２００ａ」とも称する。また、当該医療ネットワークエンドポイント２００ａに関連付けられた医療ネットワークイネーブラ３００を、「医療ネットワークイネーブラ３００ａ」とも称する。また、医療機器に関連付けられた医療ネットワークイネーブラ３００を、「医療ネットワークイネーブラ３００ｃ」とも称する。
【０１３２】
図１２に示すように、医師Ｕａが医療ネットワークエンドポイント２００ａを介して医療機器の遠隔操作に関する権限付与のリクエストを行うと、医療ネットワークイネーブラ３００ａは、医療ネットワークマネージャ１００に対して遠隔操作権限付与リクエストを送信する（Ｓ２２１）。このとき医療ネットワークイネーブラ３００ａは、遠隔操作権限付与リクエストに対して、医療ネットワークマネージャ１００が意思決定に利用する情報を関連付けてもよい。
【０１３３】
医療ネットワークマネージャ１００は、医療ネットワークイネーブラ３００ａから遠隔操作権限付与リクエストを受け付けると、当該医療ネットワークイネーブラ３００ａに対する遠隔操作の権限の付与に関する意思決定を行う。具体的な一例として、医療ネットワークマネージャ１００は、遠隔操作権限付与リクエストに関連付けられた情報に基づき、医療ネットワークイネーブラ３００ａや、当該医療ネットワークイネーブラ３００ａに関連付けられた医師Ｕａに関する情報を、医療ネットワーク情報検索データベース４００に探索させて取得する。また、医療ネットワークマネージャ１００は、遠隔操作の対象となる医療機器や、当該医療機器に関連付けられた医療ネットワークイネーブラ３００ｃに関する情報を、医療ネットワーク情報検索データベース４００に探索させて取得してもよい。また、医療ネットワークマネージャ１００は、遠隔操作権限付与リクエストに関連付けられた情報に基づき、遠隔操作の対象となる医療機器や、当該医療機器に関連付けられた医療ネットワークイネーブラ３００ｃを特定してもよい。次いで、医療ネットワークマネージャ１００は、取得した情報に基づき、医療ネットワークイネーブラ３００ａに対する、医療機器の操作に関連する権限の付与に関する意思決定を行う。そして、医療ネットワークマネージャ１００は、当該意思決定の結果に基づき、当該医療ネットワークイネーブラ３００ａに対する医療機器の遠隔操作に関連する権限の設定の制御（例えば、権限の付与）を行う（Ｓ２２３）。
【０１３４】
そして、医療ネットワークマネージャ１００は、医療ネットワークイネーブラ３００ａに対して医療機器の遠隔操作に関連する権限の付与が行われたことを示す権限設定通知を、当該医療機器に関連付けられた医療ネットワークイネーブラ３００ｃに送信する（Ｓ２２５）。医療ネットワークイネーブラ３００ｃは、医療ネットワークマネージャ１００からの通知に基づき、自身が関連付けられた医療機器の遠隔操作に関連する権限が、医療ネットワークイネーブラ３００ａに付与されたことを認識する。なお、このとき医療ネットワークイネーブラ３００ｃは、医療ネットワークイネーブラ３００ａから医療機器に対するアクセス制御を行ってもよい。そして、医療ネットワークイネーブラ３００ｃは、医療ネットワークマネージャ１００からの権限設定通知に対する権限設定確認を、当該医療ネットワークマネージャ１００に送信する（Ｓ２２７）。
【０１３５】
医療ネットワークマネージャ１００は、医療ネットワークイネーブラ３００ｃから医療機器の遠隔操作に関する上記権限設定通知に対する応答として権限設定確認を受信すると、医療ネットワークイネーブラ３００ａに対して遠隔操作権限付与レスポンスを送信する（Ｓ２２９）。
【０１３６】
以上により、医師Ｕａからの依頼に応じて、当該医師Ｕａに対応する医療ネットワークイネーブラ３００ａに対して、医療機器の遠隔操作に関連する権限が付与される。このような制御により、例えば、医師Ｕａに対して直接的または間接的に関連付けられた属性情報（例えば、免許、医療行為の科目等）に応じて、当該医師Ｕａに対して医療機器の遠隔操作に関連する権限がより好適な態様で設定される（例えば、必要とされる範囲で権限が設定される）。これにより、医師Ｕａは、医療ネットワークイネーブラ３００ａに関連付けられた医療ネットワークエンドポイント２００ａを介して、当該医療機器の遠隔操作を行うことが可能となる（Ｓ２３１）。
【０１３７】
以上、実施例２として、図１２を参照して、医師がネットワークを介して医療機器の遠隔操作を行う場合において、医師からの依頼に応じて、当該医師に対する医療機器の遠隔操作に関する権限の設定の制御を行う場合の一例について説明した。
【０１３８】
＜５．３．実施例３：劇薬の取扱い権限認証＞
続いて、実施例３として、劇薬等を管理する劇薬管理庫や金庫等のように厳重に管理されている管理庫の扉の開錠を、当該開錠を行うユーザ（例えば、医師、看護師、薬剤師等）に関連付けられた属性情報に応じて、ネットワークを介して管理する場合の一例について説明する。なお、実施例３では、劇薬等を管理する劇薬管理庫に対してＵＩが設けられており、医師、看護師、薬剤師等のユーザは、当該劇薬管理庫の開錠を行う場合には、当該ＵＩを介して認証に係る各種操作（例えば、認証に係る情報の入力等）を行うものとする。
【０１３９】
例えば、図１３は、実施例３に係る情報処理システム１の一連の処理の流れの一例を示したシーケンス図である。なお、本説明では、劇薬管理庫に対して医療ネットワークイネーブラ３００が関連付けられており、便宜上、当該医療ネットワークイネーブラ３００を「医療ネットワークイネーブラ３００ｄ」とも称する。
【０１４０】
例えば、医師が劇薬管理庫のＵＩに対して当該劇薬管理庫の扉の開錠を行うための認証情報を入力すると、医療ネットワークイネーブラ３００ｄは、医療ネットワークマネージャ１００に対して劇薬の取扱いに関する認証のリクエスト（劇薬取扱い認証リクエスト）を送信する（Ｓ２４１）。このとき、医療ネットワークイネーブラ３００ｄは、劇薬取扱い認証リクエストに対して、医療ネットワークマネージャ１００が意思決定に利用する情報として、上記ＵＩを介して入力された認証情報を関連付ける。
【０１４１】
医療ネットワークマネージャ１００は、医療ネットワークイネーブラ３００ｄから劇薬取扱い認証リクエストを受け付けると、劇薬取扱い認証リクエストに関連付けられた認証情報に基づき、劇薬管理庫の扉の開錠に関する意思決定（即ち、劇薬の取扱いに関する権限の認証査定）を行う。具体的な一例として、医療ネットワークマネージャ１００は、遠隔操作権限付与リクエストに関連付けられた情報に基づき、当該認証情報が示すユーザ（例えば、医師、看護師、薬剤師等）に関する情報を、医療ネットワーク情報検索データベース４００に探索させて取得する。次いで、医療ネットワークマネージャ１００は、取得した情報に基づき、当該認証情報が示すユーザに対する、劇薬の取扱いに関する権限の認証査定を行う（Ｓ２４３）。
【０１４２】
そして、医療ネットワークマネージャ１００は、当該認証査定の結果に基づく情報を劇薬取扱い認証レスポンスに関連付けて、当該劇薬取扱い認証レスポンスを医療ネットワークイネーブラ３００ｃに送信する（Ｓ２４５）。このとき、医療ネットワークマネージャ１００は、認証情報が示すユーザに対象となる劇薬を扱う資格が無いことを確認した場合には、当該認証レスポンスにより劇薬管理庫の扉の開錠を拒否してもよい。
【０１４３】
医療ネットワークイネーブラ３００ｃは、劇薬取扱い認証リクエストに対する応答として、医療ネットワークマネージャ１００から劇薬取扱い認証レスポンスを取得し、取得した当該劇薬取扱い認証レスポンスに基づき認証査定の結果を認識する。そして、医療ネットワークイネーブラ３００ｃは、当該認証査定の結果に応じて、劇薬管理庫の扉の開錠（即ち、ロック解除）を行えばよい（Ｓ２４７）。
【０１４４】
以上、実施例３として、図１３を参照して、劇薬管理庫や金庫等のように厳重に管理されている管理庫の扉の開錠を、当該開錠を行うユーザに関連付けられた属性情報に応じて、ネットワークを介して管理する場合の一例について説明した。
【０１４５】
＜５．４．実施例４：看護師による患者の見守りと申し送り＞
続いて、実施例４として、看護師が患者の見守りを行うような状況下において、自身の担当患者の申し送りを他の看護師に行う場合における、当該患者に関連する各種権限の設定の制御（例えば、権限の付与や委譲等）を行う場合の一例について説明する。
【０１４６】
例えば、入院患者の中には、例えばＶＩＰ等のように、一般の入院患者以上にプライバシーの保護が要求される入院患者も存在し、このような入院患者に関する情報に対するアクセスを、一部の人間（例えば、担当の看護師のみ）に制限する必要がある場合も想定され得る。そこで、本実施例では、このような状況を想定し、各看護師による担当入院患者の管理と、担当看護師の変更に伴う看護師間の申し送りと、を実現するための仕組みの一例について説明する。
【０１４７】
例えば、図１４は、実施例４に係る情報処理システム１の概略的な構成の一例について説明するための説明図である。図１４に示すように、本実施例に係る情報処理システム１では、各看護師に関連付けられた医療ネットワークエンドポイント２００がマスタとして動作し、各患者に関連付けられた医療ネットワークエンドポイント２００がスレーブとして動作する。そして、ある看護師に関連付けられた医療ネットワークエンドポイント２００には、当該看護師が見守りを担当する患者に関連付けられた医療ネットワークエンドポイント２００がスレーブとして接続される。
【０１４８】
例えば、図１４に示す例では、看護師Ｕｅは、患者Ｕｇ及びＵｈの見守りを担当している。そのため、看護師Ｕｅに関連付けられた医療ネットワークエンドポイント２００ｅ（マスタ）には、患者Ｕｇ及びＵｈそれぞれに関連付けられた医療ネットワークエンドポイント２００ｇ及び２００ｈがスレーブとして接続される。同様に、看護師Ｕｆは、患者Ｕｉ及びＵｊの見守りを担当している。そのため、看護師Ｕｆに関連付けられた医療ネットワークエンドポイント２００ｆ（マスタ）には、患者Ｕｉ及びＵｊそれぞれに関連付けられた医療ネットワークエンドポイント２００ｉ及び２００ｊがスレーブとして接続される。このような構成とすることで、各看護師は、自身に関連付けられた医療ネットワークエンドポイント２００（マスタ）を介して、自身が担当する患者の情報を管理することが可能となる。また、看護師に関連付けられた医療ネットワークエンドポイント２００と、患者に関連付けられた医療ネットワークエンドポイント２００と、の間の接続関係を制限することで、当該患者の情報に対してアクセス可能な看護師を制限することも可能となる。
【０１４９】
一方で、ある患者について、担当看護師の一時的または恒久的な変更を要する場合もある。具体的な一例として、ある看護師が非番等により不在となる場合には、当該看護師の担当患者の見守りを他の看護師に引き継ぐような場合が想定され得る。このような状況を鑑み、本実施例に係る情報処理システム１では、ある患者を担当する看護師を変更する場合において、当該患者に関連する各種権限（例えば、患者の情報に対するアクセス権限等）の設定の制御（例えば、権限の委譲）を実現するための仕組みを提供する。
【０１５０】
例えば、図１５は、実施例４に係る情報処理システム１の一連の処理の流れの一例を示したシーケンス図であり、ある患者の担当看護師の変更に伴い、当該患者に関連する各種権限の設定を制御する場合の一例について示している。なお、本説明では、患者Ｕｇの担当を、看護師Ｕｅから看護師Ｕｆに引き継ぐ場合を例に説明する。また、本説明では、便宜上、医療ネットワークエンドポイント２００ｅに関連付けられた医療ネットワークイネーブラ３００を、「医療ネットワークイネーブラ３００ｅ」とも称する。同様に、医療ネットワークエンドポイント２００ｆに関連付けられた医療ネットワークイネーブラ３００を、「医療ネットワークイネーブラ３００ｆ」とも称する。
【０１５１】
図１５に示すように、看護師Ｕｅが医療ネットワークエンドポイント２００ｅを介して患者Ｕｇについて担当看護師の変更に関するリクエストを行うと、医療ネットワークイネーブラ３００ｅは、医療ネットワークマネージャ１００に対して患者担当変更リクエストを送信する（Ｓ２６１）。このとき医療ネットワークイネーブラ３００ｅは、患者担当変更リクエストに対して、対象となる患者Ｕｇに関する情報を関連付けてもよい。また、医療ネットワークイネーブラ３００ｅは、患者担当変更リクエストに対して、担当変更後の看護師の候補に関する情報を関連付けてもよい。なお、担当変更後の看護師の候補については、看護師Ｕｅが医療ネットワークエンドポイント２００ｅを介して指定してもよいし、医療ネットワークイネーブラ３００ｅが所定の条件に基づき特定してもよい。
【０１５２】
医療ネットワークマネージャ１００は、医療ネットワークイネーブラ３００ｅから患者担当変更リクエストを受信すると、当該患者担当変更リクエストに関連付けられた情報を基に、対象となる患者Ｕｇの担当看護師の変更に関する意思決定（査定）を行う。具体的な一例として、医療ネットワークマネージャ１００は、患者担当変更リクエストに関連付けられた情報を基に、当該情報に応じた条件に該当する看護師を、医療ネットワーク情報検索データベース４００に探索させてもよい。また、他の一例として、医療ネットワークマネージャ１００は、患者担当変更リクエストに対して担当変更後の看護師の候補に関する情報が関連付けられている場合には、当該候補それぞれに関する情報（例えば、各候補の属性情報）を、医療ネットワーク情報検索データベース４００に探索させてもよい。これにより、医療ネットワークマネージャ１００は、探索された各候補に関する情報に基づき、担当変更後の看護師を特定することが可能となる。次いで、医療ネットワークマネージャ１００は、特定した担当変更後の看護師Ｕｆに対応する医療ネットワークイネーブラ３００ｆに対する、患者Ｕｇに関連する各種権限（例えば、患者Ｕｇの情報に対するアクセス権限）の付与に関する意思決定を行う。そして、医療ネットワークマネージャ１００は、当該意思決定の結果に基づき、医療ネットワークイネーブラ３００ｆに対する、患者Ｕｇに関連する各種権限の設定の制御（例えば、患者Ｕｇの情報に対するアクセス権限の付与）を行う（Ｓ２６３）。
【０１５３】
次いで、医療ネットワークマネージャ１００は、担当変更後の看護師Ｕｆに対応する医療ネットワークイネーブラ３００ｆに対して、患者Ｕｇに関連する各種権限の付与が行われたことを示す権限設定通知（患者担当権限設定通知）を送信する（Ｓ２６５）。医療ネットワークイネーブラ３００ｆは、医療ネットワークマネージャ１００からの患者担当権限設定通知に基づき、自身に対して患者Ｕｇに関連する各種権限の付与が行われたことを認識する。また、このとき医療ネットワークイネーブラ３００ｆは、患者Ｕｇに関連する各種権限の付与が行われたことを、医療ネットワークエンドポイント２００ｆを介して看護師Ｕｆに提示し、当該看護師Ｕｆに、患者Ｕｇに関連する各種権限の付与を受け入れるか否か（換言すると、患者Ｕｇの担当看護師となることを受け入れるか否か）を確認してもよい。そして、医療ネットワークイネーブラ３００ｆは、看護師Ｕｆによる患者Ｕｇに関連する各種権限の付与の受け入れを確認すると、患者担当権限設定通知に対する応答として権限設定確認（患者担当限設定確認）を、医療ネットワークマネージャ１００に送信する（Ｓ２６７）。
【０１５４】
医療ネットワークマネージャ１００は、医療ネットワークイネーブラ３００ｆから患者担当権限設定通知に対する応答として患者担当限設定確認を受信すると、医療ネットワークイネーブラ３００ｅに対して患者担当変更レスポンスを送信する（Ｓ２６９）。
【０１５５】
以上により、患者Ｕｇに関連する各種権限が看護師Ｕｆに付与され、当該患者Ｕｇの担当看護師を看護師Ｕｅから看護師Ｕｆに変更することが可能となる（Ｓ２７１）。
【０１５６】
なお、患者Ｕｇの担当看護師の変更が認められた場合には、医療ネットワークイネーブラ３００ｅ及び３００ｆ間において、患者Ｕｇに関する情報の受け渡しが行われてもよい。一方で、患者Ｕｇの担当看護師の変更が何らかの理由で認められない場合には、医療ネットワークイネーブラ３００ｅ及び３００ｆ間における、患者Ｕｇに関する情報の受け渡しが制限されてもよい。このような制限は、例えば、医療ネットワークマネージャ１００が行ってもよい。
【０１５７】
以上のような制御により、ある患者を担当する看護師を変更するような状況下においても、秘匿性の高い情報へのアクセスを関係者（例えば、担当変更前後の看護師）に制限することでセキュリティを確保しながら、当該患者に関する各種権限の変更を円滑に行うことが可能となる。
【０１５８】
以上、実施例４として、看護師が患者の見守りを行うような状況下において、自身の担当患者の申し送りを他の看護師に行う場合における、当該患者に関連する各種権限の設定の制御を行う場合の一例について説明した。
【０１５９】
＜５．５．実施例５：入院患者の転院＞
続いて、実施例５として、図１６及び図１７を参照して、医療機関間における入院患者の転院に関する手続きを、ネットワークを介して実現するための仕組みの一例について説明する。図１６は、実施例５に係る情報処理システム１の概略的な構成の一例について説明するための説明図である。また、図１７は、実施例５に係る情報処理システム１の一連の処理の流れの一例を示したシーケンス図である。
【０１６０】
本実施例では、医療機関Ｍに入院している患者Ｕｍ２を医療機関Ｎに転院させる場合を例として、当該医療機関Ｍ及びＮ間における手続きに着目して、情報処理システム１の構成と処理の一例について説明する。なお、本説明では、医療機関Ｍ及びＮのそれぞれには医療ネットワークマネージャ１００が個別に設置されているものとする。そこで、便宜上、医療機関Ｍに対応する医療ネットワークマネージャ１００を「医療ネットワークマネージャ１００ｍ」とも称し、医療機関Ｎに対応する医療ネットワークマネージャ１００を「医療ネットワークマネージャ１００ｎ」とも称する。また、本説明では、医療機関Ｍに所属する医師Ｕｍ１に関連付けられた医療ネットワークエンドポイント２００を「医療ネットワークエンドポイント２００ｍ１」とも称する。同様に、医療機関Ｎに所属する医師Ｕｎに関連付けられた医療ネットワークエンドポイント２００を「医療ネットワークエンドポイント２００ｎ」とも称する。また、医療ネットワークエンドポイント２００ｍ１に関連付けられた医療ネットワークイネーブラ３００を、「医療ネットワークイネーブラ３００ｍ１」とも称する。同様に、医療ネットワークエンドポイント２００ｎに関連付けられた医療ネットワークイネーブラ３００を、「医療ネットワークイネーブラ３００ｎ」とも称する。
【０１６１】
図１７に示すように、まず医療機関Ｍの医師Ｕｍ１が、自身に関連付けられた医療ネットワークエンドポイント２００ｍ１を介して、患者Ｕｍ２の転院に関するリクエストを行ったものとする。このリクエストを受けて、医療ネットワークイネーブラ３００ｍ１は、医療ネットワークマネージャ１００ｍに対して転院リクエストを送信する（Ｓ２８１）。このとき医療ネットワークイネーブラ３００ｍ１は、転院リクエストに対して、対象となる患者Ｕｍ２に関する情報（例えば、患者Ｕｍ２が受診している科目の情報等）のような各種情報を関連付けてもよい。
【０１６２】
医療ネットワークマネージャ１００ｍは、医療ネットワークイネーブラ３００ｍ１から転院リクエストを受信すると、当該転院リクエストに関連付けられた情報を基に、対象となる患者Ｕｍ２の転院に関する意思決定（判定）を行う。具体的な一例として、医療ネットワークマネージャ１００ｍは、転院リクエストに関連付けられた情報を基に、当該情報に応じた条件に該当する医療機関（即ち、転院先となる医療機関）を、医療ネットワーク情報検索データベース４００に探索させてもよい。より具体的な一例として、医療ネットワークマネージャ１００ｍは、患者Ｕｍ２が受診している科目について対応可能な医療機関（例えば、当該科目を担当可能な医師が在籍する医療機関）を特定してもよい。また、医療ネットワークマネージャ１００ｍは、自身が関連付けられた医療機関Ｍに関する情報を基に、転院先となる医療機関（または、医療機関の候補）を、医療ネットワーク情報検索データベース４００に探索させてもよい。具体的な一例として、医療ネットワークマネージャ１００ｍは、医療機関Ｍのより近傍に位置する医療機関を特定してもよい。そして、医療ネットワークマネージャ１００ｍは、特定した医療機関Ｎへの患者Ｕｍ２の転院に関する意思決定（例えば、転院可能か否かの判定）を行う（Ｓ２８３）。
【０１６３】
次いで、医療ネットワークマネージャ１００ｍは、上記意思決定の結果に応じて、医療機関Ｎに対応する医療ネットワークマネージャ１００ｎに対して、転院通知を送信することで患者Ｕｍ２を受け入れ可能か否かの判定を依頼する（Ｓ２８５）。このとき、医療ネットワークマネージャ１００ｍは、転院通知に対して患者Ｕｍ２に関する情報を関連付けてもよい。
【０１６４】
医療ネットワークマネージャ１００ｎは、医療ネットワークマネージャ１００ｍから転院通知を受信すると、対象となる患者Ｕｍ２の受け入れが可能か否かを判定する。このとき、医療ネットワークマネージャ１００ｎは、転院通知に関連付けられた情報に基づき、患者Ｕｍ２の受け入れが可能か否かを判定してもよい。
【０１６５】
また、医療ネットワークマネージャ１００ｎは、医療機関Ｎの所属医師Ｕｎに対して、患者Ｕｍ２の転院について判定依頼を行ってもよい。具体的には、医療ネットワークマネージャ１００ｎは、医師Ｕｎに対応する医療ネットワークイネーブラ３００ｎに対して転院判定依頼を送信する（Ｓ２８７）。このとき医療ネットワークマネージャ１００ｎは、転院判定依頼に対して患者Ｕｍ２に関する情報を関連付けてもよい。医療ネットワークイネーブラ３００ｎは、医療ネットワークマネージャ１００ｎからの転院判定依頼に基づき、医師Ｕｎに対して医療ネットワークエンドポイント２００ｎを介して、患者Ｕｍ２の受け入れが可能か否かを確認する。そして、医療ネットワークイネーブラ３００ｎは、医療ネットワークエンドポイント２００ｎを介して医師Ｕｎによる患者Ｕｍ２の受け入れの判定結果を取得すると、転院判定依頼に対する応答として転院判定確認を医療ネットワークマネージャ１００に送信する（Ｓ２８９）。この場合には、医療ネットワークマネージャ１００ｎは、医療ネットワークエンドポイント２００ｎからの転院判定確認に基づき、患者Ｕｍ２の受け入れが可能か否かを認識してもよい。
【０１６６】
そして、医療ネットワークマネージャ１００ｎは、転院通知に対する応答として医療ネットワークマネージャ１００ｍに対して、患者Ｕｍ２の受け入れが可能か否かの判定結果に基づく転院確認を送信する（Ｓ２９１）。これにより、医療ネットワークマネージャ１００ｍは、当該転院確認に基づき、医療機関Ｎが患者Ｕｍ２を受け入れ可能か否かを認識することが可能となる。
【０１６７】
医療ネットワークマネージャ１００ｍは、転院通知に対する応答として医療ネットワークマネージャ１００ｎから転院確認を受信すると、医療ネットワークイネーブラ３００ｍ２に対して当該転院確認に応じた転院レスポンスを送信する（Ｓ２９３）。
【０１６８】
なお、医療ネットワークマネージャ１００ｍは、医療機関Ｎが患者Ｕｍ２を受け入れることが可能な場合には、当該患者Ｕｍ２に関する情報を転院患者情報として医療ネットワークマネージャ１００ｎに通知してもよい（Ｓ２９５）。なお、医療ネットワークマネージャ１００ｎは、医療ネットワークマネージャ１００ｍから転院患者情報として患者Ｕｍ２に関する情報の通知を受けた場合には、当該医療ネットワークマネージャ１００ｍに対して転院患者情報確認を通知してもよい（Ｓ２９７）。
【０１６９】
以上、実施例５として、図１６及び図１７を参照して、医療機関間における入院患者の転院に関する手続きを実現するための仕組みの一例について説明した。
【０１７０】
＜５．６．実施例６：監理機関による医療機関の監理や業務認可＞
続いて、実施例６として、国や地域の監理機関による医療機関の監理や業務認可の手続きを、ネットワークを介して実現するための仕組みの一例について説明する。
【０１７１】
例えば、図１８は、実施例６に係る情報処理システム１の概略的な構成の一例について説明するための説明図である。図１８に示すように、監理機関には、医療ネットワーク監理データベース５００が設置されている。また、医療ネットワーク監理データベース５００は、各医療機関Ｐ〜Ｒそれぞれに設置された医療ネットワークマネージャ１００ｐ〜１００ｑとネットワークを介して通信可能に構成されている。また、医療ネットワーク監理データベース５００は、医療ネットワークマネージャ１００のように各種情報を管理する機能や、各種意思決定を行う機能を備えている。このような構成の基で、医療ネットワーク監理データベース５００は、各医療機関の医療ネットワークマネージャ１００からの申請に基づき、医療機関としての登録に係る認可判定や、当該登録後の監査に係る認可判定等を行う。そこで、以降の説明では、本実施例に係る情報処理システム１における各種手続きに係る処理の一例として、「医療機関の登録に係る認可手続き」と、「医療機関の監査に係る手続き」とについてそれぞれ説明する。
【０１７２】
（１）医療機関の登録に係る認可手続き
まず、図１９を参照して、実施例６に係る情報処理システム１の一連の処理の流れの一例として、医療機関の登録に係る認可手続きに関する処理について説明する。図１９は、実施例６に係る情報処理システム１の一連の処理の流れの一例を示したシーケンス図である。
【０１７３】
図１９に示すように、各医療機関の医療ネットワークマネージャ１００は、医療ネットワーク監理データベース５００に対して、当該医療機関に関する各種情報を送信することで、医療機関としての登録を申請する（Ｓ４０１）。医療ネットワーク監理データベース５００は、医療ネットワークマネージャ１００から登録の申請を受信すると、あわせて送信される医療機関に関する情報に基づき、当該医療機関の認可判定を行う（Ｓ４０３）。なお、医療ネットワーク監理データベース５００は、当該認可判定の結果に応じて、登録申請の対象となる医療機関に関する情報を、所定の記憶領域（例えば、リポジトリ等）に記録してもよい。
【０１７４】
そして、医療ネットワーク監理データベース５００は、上記申請に対する応答として、当該認可判定の結果に関する情報（登録確認）を医療ネットワークマネージャ１００に通知する（Ｓ４０５）。以上のようにして、医療ネットワーク監理データベース５００により各医療機関の認可判定が行われ、当該医療機関に関する情報が登録される。
【０１７５】
なお、医療ネットワーク監理データベース５００により登録された各医療機関の情報は、所定の手続き（以降では、「登録変更手続き」とも称する）に基づき変更されてもよい。なお、登録変更手続きについては、図１９に示すように、医療機関としての登録に係る手続きと同様である。即ち、各医療機関の医療ネットワークマネージャ１００は、医療ネットワーク監理データベース５００に対して、当該医療機関に関する各種情報（特に、変更後の情報）を送信することで、医療機関として登録された情報の変更を申請する（Ｓ４０７）。医療ネットワーク監理データベース５００は、医療ネットワークマネージャ１００から登録変更の申請を受信すると、あわせて送信される医療機関に関する情報に基づき、当該医療機関の認可判定を改めて行う（Ｓ４０９）。
【０１７６】
また、医療ネットワーク監理データベース５００は、当該認可判定の結果に応じて、対応する医療機関に関する登録済の情報を、登録変更の申請とあわせて送信された変更後の情報に基づき更新する。そして、医療ネットワーク監理データベース５００は、上記申請に対する応答として、当該認可判定の結果に関する情報（登録変更確認）を医療ネットワークマネージャ１００に通知する（Ｓ４１１）。以上のようにして、医療ネットワーク監理データベース５００により各医療機関の認可判定が行われ、既に登録済の当該医療機関に関する情報が、変更後の情報に更新される。
【０１７７】
（２）医療機関の監査に係る手続き
続いて、図２０を参照して、実施例６に係る情報処理システム１の一連の処理の流れの一例として、医療機関の監査に係る手続きに関する処理について説明する。図２０は、実施例６に係る情報処理システム１の一連の処理の流れの一例を示したシーケンス図である。
【０１７８】
なお、本説明では、監理機関側の担当者から、監査の対象となる医療機関に対して各種命令（例えば、監査命令）が行われるものとする。具体的には、監理機関側の担当者が保持する医療ネットワークエンドポイント２００に対して医療ネットワークイネーブラ３００が関連付けられている。そして、図２０に示すように、監理機関側の担当者に対応する医療ネットワークイネーブラ３００は、監査の対象となる医療機関に関連付けられた医療ネットワークマネージャ１００に対して監査命令を通知する（Ｓ４２１）。当該医療ネットワークマネージャ１００は、当該医療ネットワークイネーブラ３００から監査命令の通知を受信すると、当該監査命令に対する応答（監査命令応答）として、自身が関連付けられた医療機関に関する情報（特に、監査の対象となる情報）を当該医療ネットワークイネーブラ３００に送信する（Ｓ４２３）。
【０１７９】
医療ネットワークイネーブラ３００は、医療ネットワークマネージャ１００から監査命令応答として対象となる医療機関に関する情報を受信すると、受信した当該情報に基づき、医療ネットワーク監理データベース５００に対して監査リクエストを行う（Ｓ４２５）。このとき、医療ネットワークイネーブラ３００は、当該監査リクエストに対して、対象となる医療機関に関する情報を関連付けることで、当該情報を医療ネットワーク監理データベース５００に送信する。
【０１８０】
医療ネットワーク監理データベース５００は、医療ネットワークイネーブラ３００から監査リクエストを受けると、当該監査リクエストに関連付けられた医療機関に関する情報に基づき、当該医療機関の監査に係る認可判定を行う（Ｓ４２７）。このとき、医療ネットワーク監理データベース５００は、事前に登録された当該医療機関に関する情報を参照してもよい。そして、医療ネットワーク監理データベース５００は、上記監査リクエストに対する応答として、監査レスポンスを医療ネットワークイネーブラ３００に通知する（Ｓ４２９）。これにより、医療ネットワークイネーブラ３００は、監査リクエストが医療ネットワーク監理データベース５００受理されたことを認識することが可能となる。
【０１８１】
次いで、医療ネットワーク監理データベース５００は、上記認可判定の結果に応じて、監査対象となる医療機関に関連付けられた医療ネットワークマネージャ１００に対して、監査結果を示す情報を通知する（Ｓ４３１）。これにより、当該医療ネットワークマネージャ１００は、自身に関連付けられた医療機関に対する監査の結果を認識することが可能となる。また、医療ネットワークマネージャ１００は、監査結果の通知に対する応答として、医療ネットワーク監理データベース５００に対して監査結果確認を通知してもよい（Ｓ４３３）。
【０１８２】
以上、実施例６として、図１８〜図２０を参照して、国や地域の監理機関による医療機関の監理や業務認可の手続きを、ネットワークを介して実現するための仕組みの一例について、特に、「医療機関の登録に係る認可手続き」と、「医療機関の監査に係る手続き」とに着目して説明した。
【０１８３】
＜＜６．ハードウェア構成＞＞
次に、図２１を参照しながら、本開示の一実施形態に係る情報処理システム１を構成する医療ネットワークマネージャ１００や医療ネットワークエンドポイント２００等のような情報処理装置９００のハードウェア構成について、詳細に説明する。図２１は、本開示の一実施形態に係る情報処理システムを構成する情報処理装置のハードウェア構成の一例を示す機能ブロック図である。
【０１８４】
本実施形態に係る情報処理システムを構成する情報処理装置９００は、主に、ＣＰＵ９０１と、ＲＯＭ９０３と、ＲＡＭ９０５と、を備える。また、情報処理装置９００は、更に、ホストバス９０７と、ブリッジ９０９と、外部バス９１１と、インタフェース９１３と、入力装置９１５と、出力装置９１７と、ストレージ装置９１９と、ドライブ９２１と、接続ポート９２３と、通信装置９２５とを備える。
【０１８５】
ＣＰＵ９０１は、演算処理装置及び制御装置として機能し、ＲＯＭ９０３、ＲＡＭ９０５、ストレージ装置９１９又はリムーバブル記録媒体９２７に記録された各種プログラムに従って、情報処理装置９００内の動作全般又はその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。なお、図２を参照して前述した処理部１３０や、図３を参照して前述した処理部２５０は、例えば、ＣＰＵ９０１により実現され得る。
【０１８６】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。また、外部バス９１１には、インタフェース９１３を介して、入力装置９１５、出力装置９１７、ストレージ装置９１９、ドライブ９２１、接続ポート９２３及び通信装置９２５が接続される。
【０１８７】
入力装置９１５は、例えば、マウス、キーボード、タッチパネル、ボタン、スイッチ、レバー及びペダル等、ユーザが操作する操作手段である。また、入力装置９１５は、例えば、赤外線やその他の電波を利用したリモートコントロール手段（いわゆる、リモコン）であってもよいし、情報処理装置９００の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。情報処理装置９００のユーザは、この入力装置９１５を操作することにより、情報処理装置９００に対して各種のデータを入力したり処理動作を指示したりすることができる。なお、図３を参照して前述した入力部２２０は、例えば、入力装置９１５により実現され得る。
【０１８８】
出力装置９１７は、取得した情報をユーザに対して視覚的又は聴覚的に通知することが可能な装置で構成される。このような装置として、ＣＲＴディスプレイ装置、液晶ディスプレイ装置、プラズマディスプレイ装置、ＥＬディスプレイ装置及びランプ等の表示装置や、スピーカ及びヘッドホン等の音声出力装置や、プリンタ装置等がある。出力装置９１７は、例えば、情報処理装置９００が行った各種処理により得られた結果を出力する。具体的には、表示装置は、情報処理装置９００が行った各種処理により得られた結果を、テキスト又はイメージで表示する。他方、音声出力装置は、再生された音声データや音響データ等からなるオーディオ信号をアナログ信号に変換して出力する。なお、図３を参照して前述した出力部２３０は、例えば、出力装置９１７により実現され得る。
【０１８９】
ストレージ装置９１９は、情報処理装置９００の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス又は光磁気記憶デバイス等により構成される。このストレージ装置９１９は、ＣＰＵ９０１が実行するプログラムや各種データ等を格納する。なお、図２を参照して前述した記憶部１２０や、図３を参照して前述した記憶部２４０は、例えば、ストレージ装置９１９により実現され得る。
【０１９０】
ドライブ９２１は、記録媒体用リーダライタであり、情報処理装置９００に内蔵、あるいは外付けされる。ドライブ９２１は、装着されている磁気ディスク、光ディスク、光磁気ディスク又は半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク又は半導体メモリ等のリムーバブル記録媒体９２７に記録を書き込むことも可能である。リムーバブル記録媒体９２７は、例えば、ＤＶＤメディア、ＨＤ−ＤＶＤメディア又はＢｌｕ−ｒａｙ（登録商標）メディア等である。また、リムーバブル記録媒体９２７は、コンパクトフラッシュ（登録商標）（ＣＦ：ＣｏｍｐａｃｔＦｌａｓｈ）、フラッシュメモリ又はＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。
【０１９１】
接続ポート９２３は、情報処理装置９００に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、情報処理装置９００は、外部接続機器９２９から直接各種のデータを取得したり、外部接続機器９２９に各種のデータを提供したりする。
【０１９２】
通信装置９２５は、例えば、通信網（ネットワーク）９３１に接続するための通信デバイス等で構成された通信インタフェースである。通信装置９２５は、例えば、有線若しくは無線ＬＡＮ（Ｌｏｃａｌ  Ａｒｅａ  Ｎｅｔｗｏｒｋ）、Ｂｌｕｅｔｏｏｔｈ（登録商標）又はＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ又は各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線又は無線によって接続されたネットワーク等により構成され、例えば、インターネット、家庭内ＬＡＮ、赤外線通信、ラジオ波通信又は衛星通信等であってもよい。なお、図２を参照して前述した通信部１１０や、図３を参照して前述した通信部２１０は、例えば、ストレージ装置９１９により実現され得る。
【０１９３】
以上、本開示の実施形態に係る情報処理システムを構成する情報処理装置９００の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。なお、図２１では図示しないが、本実施形態に係る情報処理システムを構成する情報処理装置９００に対応する各種の構成を当然備える。
【０１９４】
なお、上述のような本実施形態に係る情報処理システムを構成する情報処理装置９００の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。また、当該コンピュータプログラムを実行させるコンピュータの数は特に限定されない。例えば、当該コンピュータプログラムを、複数のコンピュータ（例えば、複数のサーバ等）が互いに連携して実行してもよい。なお、単数のコンピュータ、または、複数のコンピュータが連携するものを、「コンピュータシステム」とも称する。
【０１９５】
＜＜７．むすび＞＞
以上説明したように、本実施形態に係る情報処理システム１において、医療ネットワークマネージャ１００は、ネットワークを介して接続された他の装置（例えば、医療ネットワークエンドポイント２００や他の医療ネットワークマネージャ１００）から医療に関連する処理の実行に係るリクエストを受け付ける。このとき、医療ネットワークマネージャ１００は、ある装置（例えば、医療ネットワークエンドポイント２００）から送信された当該リクエストを、他の装置（例えば、他の医療ネットワークマネージャ１００）を介して間接的に受け付けてもよい。そして、医療ネットワークマネージャ１００は、当該リクエストに対応する処理を実行させる装置、または当該装置に関連付けられたユーザ（例えば、医師、看護師、薬剤師等）に対する、当該処理の実行に関連する権限の設定を、当該装置に対して直接的または間接的に関連付けられた属性情報に応じて制御する。当該属性情報としては、例えば、処理を実行させる装置に関する属性情報や、当該装置に関連付けられたユーザに関する属性情報等が挙げられる。
【０１９６】
また、本実施形態に係る情報処理システム１において、医療ネットワークマネージャ１００または医療ネットワーク監理データベース５００は、ネットワークを介して接続された他の装置（例えば、医療ネットワークエンドポイント２００や他の医療ネットワークマネージャ１００）から医療に関連する処理の認証に係るリクエストを受け付ける。このとき、医療ネットワークマネージャ１００または医療ネットワーク監理データベース５００は、ある装置（例えば、医療ネットワークエンドポイント２００）から送信された当該リクエストを、他の装置（例えば、他の医療ネットワークマネージャ１００）を介して間接的に受け付けてもよい。そして、医療ネットワークマネージャ１００または医療ネットワーク監理データベース５００は、当該リクエストに対応する認証対象に対して直接的または間接的に関連付けられた属性情報に応じて、当該認証対象に対応する上記認証を実行する。
【０１９７】
以上のような構成により、本実施形態に係る情報処理システムに依れば、医療に関連する各種処理（例えば、医療行為に関連する処理）が、ネットワークを介して実行されるような状況下においても、当該処理を実行するための権限の設定の管理（例えば、権限の付与、権限の委譲、認証等）をより好適な態様で実現することが可能となる。また、本実施形態に係る情報処理システムに依れば、患者の情報等のような秘匿性の高い情報へのアクセスを関係者に制限することが可能となるため、情報の秘匿性を確保しつつ、関係者間における迅速な情報の伝達を実現することが可能となる。
【０１９８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２００】
なお、以下のような構成も本開示の技術的範囲に属する。
（１）
ネットワークを介して直接的または間接的に接続された装置から、医療に関連する処理の実行に係るリクエストを受け付ける受付部と、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御する制御部と、
を備える、情報処理装置。
（２）
前記制御部は、前記リクエストを受け付けた第１の装置とは異なる第２の装置、または当該第２の装置に関連付けられたユーザに対する前記権限の設定を、当該第２の装置に対して直接的または間接的に関連付けられた前記属性情報に応じて制御する、前記（１）に記載の情報処理装置。
（３）
前記制御部は、前記リクエストに関連付けられた情報と、１以上の前記第２の装置それぞれに対して直接的または間接的に関連付けられた前記属性情報と、に基づき、当該リクエストに対応する前記処理を実行させる前記第２の装置を特定し、特定した当該第２の装置、または当該第２の装置に関連付けられたユーザに対する前記権限の設定を制御する、前記（２）に記載の情報処理装置。
（４）
前記属性情報は、前記第２の装置、または当該第２の装置に関連付けられたユーザの位置情報を含み、
前記制御部は、１以上の前記第２の装置それぞれに対応する前記位置情報に基づき、前記リクエストに対応する前記処理を実行させる前記第２の装置を特定する、
前記（３）に記載の情報処理装置。
（５）
前記属性情報は、前記第２の装置に関連付けられたユーザの情報として、医療行為に関連する情報を含み、
前記制御部は、１以上の前記第２の装置それぞれに関連付けられた前記ユーザに対応する前記医療行為に関連する情報に基づき、前記リクエストに対応する前記処理を実行させる前記第２の装置を特定する、
前記（３）または（４）に記載の情報処理装置。
（６）
前記医療行為に関連する情報は、前記第２の装置に関連付けられたユーザの前記医療行為の実施に係る免許に関する情報を含む、前記（５）に記載の情報処理装置。
（７）
前記医療行為に関連する情報は、前記第２の装置に関連付けられたユーザの診療科目及び標榜科目のうち少なくともいずれかに関する情報を含む、前記（５）または（６）に記載の情報処理装置。
（８）
前記制御部は、前記リクエストを受け付けた第１の装置、または当該第１の装置に関連付けられたユーザに対する前記権限の設定を、当該第１の装置に対して直接的または間接的に関連付けられた前記属性情報に応じて制御する、前記（１）に記載の情報処理装置。
（９）
前記リクエストに対応する前記処理を実行させる前記装置に対して、前記権限の設定の制御結果に関する情報を通知する通知部を備える、前記（１）〜（８）のいずれか一項に記載の情報処理装置。
（１０）
前記通知部は、前記リクエストの送信元である前記装置に対して、前記権限の設定の制御結果に関する情報を通知する、前記（９）に記載の情報処理装置。
（１１）
ネットワークを介して直接的または間接的に接続された装置に対して、医療に関連する処理の実行に係るリクエストを送信する送信部と、
前記リクエストの送信後に、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得する取得部と、
を備える、情報処理装置。
（１２）
ネットワークを介して直接的または間接的に接続された装置から、医療に関連する処理の認証に関するリクエストを受け付ける受付部と、
前記リクエストに対応する認証対象に対して直接的または間接的に関連付けられた属性情報に応じて、当該認証対象に対する前記認証を実行する認証処理部と、
を備える、情報処理装置。
（１３）
前記リクエストの送信元である前記装置に対して、前記認証の結果に関する情報を通知する通知部を備える、前記（１２）に記載の情報処理装置。
（１４）
ネットワークを介して直接的または間接的に接続された装置に対して、医療に関連する処理の認証に関するリクエストを送信する送信部と、
前記リクエストの送信後に、前記リクエストに対応する認証対象に対して直接的または間接的に関連付けられた属性情報に応じた、当該認証対象に対する前記認証の結果を前記装置から取得する取得部と、
を備える、情報処理装置。
（１５）
コンピュータが、
ネットワークを介して直接的または間接的に接続された装置から、医療に関連する処理の実行に係るリクエストを受け付けることと、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、
を含む、情報処理方法。
（１６）
コンピュータが、
ネットワークを介して直接的または間接的に接続された装置に対して、医療に関連する処理の実行に係るリクエストを送信することと、
前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、
を含む、情報処理方法。
（１７）
コンピュータが、
ネットワークを介して直接的または間接的に接続された装置から、医療に関連する処理の認証に関するリクエストを受け付けることと、
前記リクエストに対応する認証対象に対して直接的または間接的に関連付けられた属性情報に応じて、当該認証対象に対する前記認証を実行することと、
を含む、情報処理方法。
（１８）
コンピュータが、
ネットワークを介して直接的または間接的に接続された装置に対して、医療に関連する処理の認証に関するリクエストを送信することと、
前記リクエストの送信後に、前記リクエストに対応する認証対象に対して直接的または間接的に関連付けられた属性情報に応じた、当該認証対象に対する前記認証の結果を前記装置から取得することと、
を含む、情報処理方法。
（１９）
コンピュータに、
ネットワークを介して直接的または間接的に接続された装置から、医療に関連する処理の実行に係るリクエストを受け付けることと、
前記リクエストに対応する前記処理を実行させる装置、または当該装置に関連付けられたユーザに対する、当該処理の実行に関連する権限の設定を、当該装置に対して直接的または間接的に関連付けられた属性情報に応じて制御することと、
を実行させる、プログラム。
（２０）
コンピュータに、
ネットワークを介して直接的または間接的に接続された装置に対して、医療に関連する処理の実行に係るリクエストを送信することと、
前記リクエストの送信後に前記装置から、当該リクエストに対応する前記処理を実行させる装置に直接的または間接的に関連付けられた属性情報に応じた、当該装置、または当該装置に関連付けられたユーザに対する、当該処理の実行に関連する権限の設定の制御結果を取得することと、
を実行させる、プログラム。
（２１）
コンピュータに、
ネットワークを介して直接的または間接的に接続された装置から、医療に関連する処理の認証に関するリクエストを受け付けることと、
前記リクエストに対応する認証対象に対して直接的または間接的に関連付けられた属性情報に応じて、当該認証対象に対する前記認証を実行することと、
を実行させる、プログラム。
（２２）
コンピュータに、
ネットワークを介して直接的または間接的に接続された装置に対して、医療に関連する処理の認証に関するリクエストを送信することと、
前記リクエストの送信後に、前記リクエストに対応する認証対象に対して直接的または間接的に関連付けられた属性情報に応じた、当該認証対象に対する前記認証の結果を前記装置から取得することと、
を実行させる、プログラム。
【符号の説明】
【０２０１】
１      情報処理システム
１００  医療ネットワークマネージャ
１１０  通信部
１２０  記憶部
１３０  処理部
１３１  通信処理部
１３３  登録処理部
１３５  権限制御部
２００  医療ネットワークエンドポイント
２１０  通信部
２２０  入力部
２３０  出力部
２４０  記憶部
２５０  処理部
２５１  通信処理部
２５３  処理実行部
２５５  入出力制御部
３００  医療ネットワークイネーブラ
４００  医療ネットワーク情報検索データベース
５００  医療ネットワーク監理データベース
【図１】
2018067197.tif 000010
【図２】
2018067197.tif 000011
【図３】
2018067197.tif 000012
【図４】
2018067197.tif 000013
【図５】
2018067197.tif 000014
【図６】
2018067197.tif 000015
【図７】
2018067197.tif 000016
【図８】
2018067197.tif 000017
【図９】
2018067197.tif 000018
【図１０】
2018067197.tif 000019
【図１１】
2018067197.tif 000020
【図１２】
2018067197.tif 000021
【図１３】
2018067197.tif 000022
【図１４】
2018067197.tif 000023
【図１５】
2018067197.tif 000024
【図１６】
2018067197.tif 000025
【図１７】
2018067197.tif 000026
【図１８】
2018067197.tif 000027
【図１９】
2018067197.tif 000028
【図２０】
2018067197.tif 000029
【図２１】
2018067197.tif 000030